(57)【特許請求の範囲】
【請求項１】
セル情報を通知する方法であって、
端末により、前記端末上で生じる接続障害を検出する工程と、
前記端末により、無線リソース制御（ＲＲＣ）接続を再確立する工程と、
ソース・セルの近傍セルのセル識別情報、及び前記接続障害が生じる前に前記端末によって記録された前記近傍セルのイベント情報を、前記ＲＲＣ接続が再確立されるセルを制御する基地局に前記端末によって送出する工程と、を含み、
前記近傍セルの前記イベント情報は、初期ステータス情報、信号品質閾値の充足、トリガ時間（ＴＴＴ）タイムアウト、及び前記端末によるハンドオーバ・コマンドの受信のうちの１つを含み、
前記接続障害が、前記端末の前記ソース・セルにおいて生じる無線リンク障害（ＲＬＦ）であり、
前記端末上でＲＬＦが生じる前に、かつ、前記近傍セルの信号品質が、予め設定された信号品質閾値を充足しない場合、前記近傍セルの前記イベント情報は初期ステータス情報であり、又は、
前記端末上で前記ＲＬＦが生じる前に、かつ、前記近傍セルの信号品質が、予め設定された信号品質閾値を充足し、トリガ時間（ＴＴＴ）が満了しない場合、前記近傍セルの前記イベント情報は信号品質閾値の充足であり、又は、
前記ＲＬＦが前記端末上で生じる前に、前記近傍セルの信号品質が予め設定された信号品質閾値を充足する時間が、予め設定されたＴＴＴ長を超える場合、前記近傍セルの前記イベント情報はＴＴＴタイムアウトである方法。
【請求項２】
端末であって、
端末上で生じる接続障害を検出するよう構成された検出装置と、
前記端末上で通信障害が生じた旨を前記検出装置が検出すると、無線リソース制御（ＲＲＣ）接続を再確立するよう構成された再確立装置と、
ソース・セルの近傍セルのセル識別情報、及び前記接続障害が生じる前に前記端末によって記録された前記近傍セルのイベント情報を、前記ＲＲＣ接続が再確立されるセルを制御する基地局に送出するよう構成された送出装置と
を備え、
前記送出装置によって送出される、前記近傍セルの前記イベント情報は、初期ステータス情報、信号品質閾値の充足、トリガ時間（ＴＴＴ）タイムアウト、及び前記端末による、ハンドオーバ・コマンドの受信のうちの１つを含み、
前記検出装置によって検出される前記接続障害は、前記端末の前記ソース・セルにおいて生じる無線リンク障害（ＲＬＦ）であり、
前記端末上でＲＬＦが生じる前に、かつ、前記近傍セルの信号品質が、予め設定された信号品質閾値を充足しない場合、前記送出装置によって送出される前記近傍セルの前記イベント情報は初期ステータス情報であり、又は、
前記端末上で前記ＲＬＦが生じる前に、かつ、前記近傍セルの信号品質が、予め設定された信号品質閾値を充足し、トリガ時間（ＴＴＴ）が満了しない場合、前記送出装置によって送出される前記近傍セルの前記イベント情報は信号品質閾値の充足であり、又は、
前記ＲＬＦが前記端末上で生じる前に、前記近傍セルの信号品質が予め設定された信号品質閾値を充足する時間が、予め設定されたＴＴＴ長を超える場合、前記送出装置によって送出される、前記近傍セルの前記イベント情報はＴＴＴタイムアウトである端末。
【請求項３】
基地局であって、
接続障害が生じた後に端末によって通知されたソース・セルの近傍セルのセル識別情報、及び前記接続障害が生じる前に前記端末によって記録された前記近傍セルのイベント情報を獲得するよう構成された獲得装置と、
前記接続障害が生じる前に、前記獲得装置によって獲得され、前記端末によって記録される、前記近傍セルの前記イベント情報に基づいて前記近傍セルのモビリティ・パラメータを調節するよう構成された調節装置と
を備え、
前記近傍セルの前記イベント情報は、初期ステータス情報、信号品質閾値の充足、トリガ時間（ＴＴＴ）タイムアウト、及び前記端末によるハンドオーバ・コマンドの受信のうちの１つを含み、
前記近傍セルの前記イベント情報は、初期ステータス情報、信号品質閾値の充足、トリガ時間（ＴＴＴ）タイムアウト、及び前記端末によるハンドオーバ・コマンドの受信のうちの１つを含み、
前記調節装置は、
前記近傍セルの前記イベント情報が初期ステータス情報である回数が予め設定された閾値を超える場合、前記近傍セルのモビリティ・パラメータにおける信号品質閾値を低減し、前記近傍セルの前記イベント情報が信号品質閾値を充足する回数が予め設定された閾値を超える場合、前記近傍セルのモビリティ・パラメータにおけるＴＴＴ長を削減するように構成される基地局。
【請求項４】
請求項３記載の基地局であって、前記接続障害が生じた後に、前記端末が無線リソース制御（ＲＲＣ）接続を再確立するセル、及び前記ソース・セルは同じ基地局に属し、
前記獲得装置は、前記接続障害が生じる前に前記端末によって記録される前記端末によって通知される前記近傍セルの前記イベント情報、及び前記ソース・セルの前記近傍セルの前記セル識別情報を、前記端末が前記ＲＲＣ接続を再確立した後に受信するよう更に構成される基地局。
【請求項５】
請求項３記載の基地局であって、前記接続障害が生じた後に、前記端末が無線リソース制御（ＲＲＣ）接続を再確立するセル、及び前記ソース・セルは別々の基地局に属し、  前記獲得装置は、前記接続障害が生じる前に前記端末によって記録される前記近傍セルの前記イベント情報、及び前記ＲＲＣ接続が再確立されるセルを制御する基地局によって転送される、前記ソース・セルの前記近傍セルの前記セル識別情報を、前記端末が前記ＲＲＣ接続を再確立した後に受信するよう更に構成される基地局。
【発明の詳細な説明】
【技術分野】
【０００１】
本出願は、参照により、それぞれの内容全部を本明細書及び特許請求の範囲において援用する、西暦２０１１年７月１５日付で中国専利局に出願された、「ＭＥＴＨＯＤ  ＡＮＤ  ＤＥＶＩＣＥ  ＦＯＲ  ＲＥＰＯＲＴＩＮＧ  ＣＥＬＬ  ＩＮＦＯＲＭＡＴＩＯＮ  ＡＮＤ  ＡＤＪＵＳＴＩＮＧ  ＣＥＬＬ  ＭＯＢＩＬＩＴＹ  ＰＡＲＡＭＥＴＥＲ」と題する中国特許出願第２０１１１０１９９２０９．１に対する優先権、及び西暦２０１２年５月１６日付で中国専利局に出願された、「ＭＥＴＨＯＤ  ＡＮＤ  ＤＥＶＩＣＥ  ＦＯＲ  ＲＥＰＯＲＴＩＮＧ  ＣＥＬＬ  ＩＮＦＯＲＭＡＴＩＯＮ  ＡＮＤ  ＡＤＪＵＳＴＩＮＧ  ＣＥＬＬ  ＭＯＢＩＬＩＴＹ  ＰＡＲＡＭＥＴＥＲ」と題する中国特許出願第２０１２１０１５１９７９．３に対する優先権を主張する。
【０００２】
本発明は、通信技術の分野に関し、具体的には、セル情報を通知し、セル・モビリティ・パラメータを調節する方法及び装置に関する。
【背景技術】
【０００３】
第３世代パートナーシップ・プロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ、３ＧＰＰ）ロング・ターム・エボリューション（Ｌｏｎｇ  Ｔｅｒｍ  Ｅｖｏｌｕｔｉｏｎ、ＬＴＥ）システムでは、端末のソース・セルを制御する基地局（すなわち、ソース・エボルブド・ノードＢ（ｅｖｏｌｖｅｄ  ＮｏｄｅＢ、ｅＮＢ））は、測定構成情報を端末に供給して、ソース・セルの信号品質及びソース・セルの近傍セルの信号品質を測定する旨を端末に指示する。近傍セルの信号品質がハンドオーバ条件を満たすと、端末は測定結果をソースｅＮＢに通知し、ソースｅＮＢは、端末によって通知された測定通知に応じてハンドオーバを行うか否かを判定する。測定構成情報における近傍セルのモビリティ・パラメータは、端末によって通知された測定結果に直接、影響を及ぼし、その場合、ハンドオーバの成功率に影響を及ぼす。
【発明の概要】
【発明が解決しようとする課題】
【０００４】
従来技術では、近傍セルのモビリティ・パラメータは、ソースｅＮＢにより、誤って調節され、それにより、端末ハンドオーバ効率に影響を及ぼす。
【課題を解決するための手段】
【０００５】
一局面では、本発明は、セル情報を通知する方法を提供し、方法は、端末上で生じる接続障害を検出する工程と、無線リソース制御ＲＲＣ接続を端末によって再確立する工程と、接続障害が生じる前に端末によって記録された、近傍セルのイベント情報、及びソース・セルの近傍セルのセル識別情報を、ＲＲＣが再確立されるセルを制御する基地局に端末によって送出する工程とを含む。
【０００６】
別の局面では、本発明は更に、セル・モビリティ・パラメータを調節する別の方法を提供し、方法は、接続障害が生じる前に端末によって記録された近傍セルのイベント情報、及び接続障害が生じた後に端末によって通知される、ソース・セルの近傍セルのセル識別情報を、ソース・セルを制御する基地局によって獲得する工程と、接続障害が生じる前に端末によって記録された、近傍セルのイベント情報に応じて近傍セルのモビリティ・パラメータを、ソース・セルを制御する基地局によって調節する工程とを含む。
【０００７】
更に別の局面では、本発明は端末を提供し、端末は、接続障害が端末上で生じたことを検出するよう構成された検出装置と、接続障害が端末上で生じたことを検出装置が検出すると、無線リソース制御ＲＲＣ接続を再確立するよう構成された再確立装置と、接続障害が生じる前に端末によって記録された近傍セルのイベント情報、及びソース・セルの近傍セルのセル識別情報を、ＲＲＣ接続が再確立されるセルを制御する基地局に送出するよう構成された送出装置とを備える。
【０００８】
更に別の局面では、本発明は更に、基地局を提供し、基地局は、接続障害が生じる前に端末によって記録された近傍セルのイベント情報、及び接続障害が生じた後に端末によって通知されるソース・セルの近傍セルのセル識別情報を獲得するよう構成された獲得装置と、接続障害が生じる前に端末によって記録され、獲得装置によって獲得された、近傍セルのイベント情報に応じて近傍セルのモビリティ・パラメータを調節するよう構成され、調節装置によって調節された近傍セルのモビリティ・パラメータを端末に送出するよう構成された送出装置とを備える。
【０００９】
前述の技術的解決策では、端末上で接続障害が生じると、端末は無線リソース制御ＲＲＣ接続を再確立し、接続障害が生じる前に端末によって記録された近傍セルのイベント情報及びソース・セルの近傍セルのセル識別情報を、ＲＲＣ接続が再確立されるセルを制御する基地局に送出する。これにより、ＲＲＣ接続が再確立されるセルを制御する基地局が、接続障害が生じる前に端末によって記録された近傍セルのイベント情報、及びソース・セルの近傍セルのセル識別情報を、ソース・セルを制御する基地局に転送することが可能になる。更に、ソース・セルを制御する基地局は、近傍セルが受けたイベントに応じて近傍セルのモビリティ・パラメータを調節し、調節されたモビリティ・パラメータを端末に送出し得る。これは更に、端末ハンドオーバ効率、及びモビリティ・パラメータ調節の精度を向上させる。ＲＲＣ接続が再確立されるセル、及びソース・セルが同じ基地局に属している場合、ソース基地局は、接続障害が生じる前に端末によって記録された、近傍セルのイベント情報及びソース・セルの近傍セルのセル識別情報を直接取得し得る。
【００１０】
一局面では、本発明は、セル情報を通知する方法を提供し、方法は、端末上で生じる接続障害を検出する工程と、無線リソース制御ＲＲＣ接続を端末によって再確立する工程と、接続障害が生じる前に端末によって記録された、ソース・セルのイベント情報及びソース・セルのセル識別情報を、ＲＲＣ接続が再確立されるセルを制御する基地局に端末によって送出する工程、又は、接続障害が生じる前に端末によって記録された近傍セルのイベント情報、及びソース・セルの近傍セルのセル識別情報を、ＲＲＣ接続が再確立されるセルを制御する基地局に端末によって送出する工程であって、近傍セル及びソース・セルが周波数間セル又はシステム間セルである工程、又は、接続障害が生じる前に端末によって記録された近傍セルのイベント情報、及びソース・セルの近傍セルのセル識別情報、接続障害が生じる前に端末によって記録されたソース・セルのイベント情報、ソース・セルのセル識別情報を、ＲＲＣ接続が再確立されるセルを制御する基地局に端末によって送出される工程であって、近傍セル及びソース・セルが周波数間セル又はシステム間セルである工程とを含む。
【００１１】
別の局面では、本発明は更に、セル・モビリティ・パラメータを調節する別の方法を提供し、方法は、接続障害が生じ、端末がＲＲＣ接続を再確立した後、端末によって通知された情報を、ＲＲＣ接続が再確立されるセルを制御する基地局によって受信する工程と、端末によって通知された情報を、ソース・セルを制御する基地局に、ＲＲＣ接続が再確立されるセルを制御する基地局によって転送する工程とを含む。端末によって通知される情報は、接続障害が生じる前に端末によって記録されたソース・セルのイベント情報及びソース・セルのセル識別情報を含み、又は、接続障害が生じる前に端末によって記録された近傍セルのイベント情報及びソース・セルの近傍セルのセル識別情報を含み、又は、接続障害が生じる前に端末によって記録された近傍セルのイベント情報及びソース・セルの近傍セルのセル識別情報を、接続障害が生じる前に端末によって記録されたソース・セルのイベント情報、ソース・セルのセル識別情報を含み、近傍セル及びソース・セルは周波数間セル又はシステム間セルである。
【００１２】
更に別の局面では、本発明は、接続障害が端末上で生じたことを検出するよう構成された検出装置と、接続障害が端末上で生じたことを検出装置が検出すると、無線リソース制御ＲＲＣ接続を再確立するよう構成された再確立装置と、接続障害が生じる前に端末によって記録されたソース・セルのイベント情報、及びソース・セルのセル識別情報を、ＲＲＣ接続が再確立されるセルを制御する基地局に送出するか、又は、接続障害が生じる前に端末によって記録された近傍セルのイベント情報及びソース・セルの近傍セルのセル識別情報を、ＲＲＣ接続が再確立されるセルを制御する基地局に送出し、近傍セル及びソース・セルが周波数間セル又はシステム間セルであるか、又は、接続障害が生じる前に端末によって記録された近傍セルのイベント情報、及びソース・セルの近傍セルのセル識別情報を、接続障害が生じる前に端末によって記録されたソース・セルのイベント情報、ソース・セルのセル識別情報を、ＲＲＣ接続が再確立されるセルを制御する基地局に送出し、近傍セル及びソース・セルが周波数間セル又はシステム間セルであるよう構成された送出装置とを備える端末を提供する。
【００１３】
更に別の局面では、本発明は更に、接続障害が生じ、端末がＲＲＣ接続を再確立した後、端末によって通知される情報を受信するよう構成された受信装置と、ソース・セルを制御する基地局に、端末によって通知された情報を転送するよう構成された転送装置とを備える基地局を提供する。端末によって通知される情報は、接続障害が生じる前に端末によって記録されたソース・セルのイベント情報及びソース・セルのセル識別情報を含み、又は、接続障害が生じる前に端末によって記録された近傍セルのイベント情報及びソース・セルの近傍セルのセル識別情報を含み、又は、接続障害が生じる前に端末によって記録された近傍セルのイベント情報及びソース・セルの近傍セルのセル識別情報を、接続障害が生じる前に端末によって記録されたソース・セルのイベント情報、ソース・セルのセル識別情報を含み、近傍セル及びソース・セルは周波数間セル又はシステム間セルである。
【００１４】
前述の技術的解決策によれば、接続障害が端末上で生じると、端末は無線リソース制御ＲＲＣ接続を再確立し、接続障害が生じる前に端末によって記録されたソース・セルのイベント情報及びソース・セルのセル識別情報を、ＲＲＣ接続が再確立されるセルを制御する基地局に送出するか、又は、近傍セルのイベント情報及びソース・セルとは別の通信システム又は周波数における近傍セルのセル識別情報を、ＲＲＳ接続が再確立されるセルを制御する基地局に送出するか、又は、ＲＲＣ接続が再確立されるセルを制御する基地局に近傍セルのイベント情報及び近傍セルのセル識別情報、ソース・セルのイベント情報、並びにソース・セルのセル識別情報を、ＲＲＣ接続が再確立されるセルを制御する基地局に送出し、よって、ＲＲＣ接続が再確立されるセルを制御する基地局は、端末によって通知された情報をソース・セルを制御する基地局に転送し、次いで、ソース・セルを制御する基地局は、ソース・セルと別のシステム又は周波数における近傍セルが受けるイベント及び／又は、ソース・セルが受けるイベントに応じてモビリティ・パラメータを調節し、それにより、端末ハンドオーバ効率、及びモビリティ・パラメータ調節の精度を向上させる。
【００１５】
本発明の実施例における技術的解決策をより明確に説明するために、以下に、本発明の実施例を説明するために必要な添付図面を簡単に紹介する。明らかに、以下の説明における添付図面は、本発明の一部の実施例を表しているに過ぎず、当業者は、創作的な労力なしで前述の添付図面より、他の図面をなお導き出すことができる。
【図面の簡単な説明】
【００１６】
【図１】本発明の実施例による、セル情報を通知する方法を示す概略フロー図である。
【図２】本発明の実施例による、セル・モビリティ・パラメータを調節する方法を示す概略フロー図である。
【図３】本発明の別の実施例による方法を示す概略フロー図である。
【図４】本発明の更に別の実施例による方法を示す概略フロー図である。
【図５】本発明の実施例による端末を示す概略構造図である。
【図６】本発明の実施例による基地局を示す概略構造図である。
【図７】本発明の実施例による、セル情報を通知する方法を示すフロー図である。
【図８】本発明の実施例による、セル・モビリティ・パラメータを調節する方法を示すフロー図である。
【図９】本発明の別の実施例による方法を示す概略フロー図である。
【図１０】本発明の更に別の実施例による方法を示す概略フロー図である。
【図１１】本発明の実施例による端末を示す概略構造図である。
【図１２】本発明の実施例による基地局を示す概略構造図である。
【発明を実施するための形態】
【００１７】
以下に、本発明の実施例における添付図面を参照して、本発明の実施例における技術的解決策を明確に、かつ、全面的に説明する。明らかに、説明する実施例は、本発明の実施例の全てというよりは一部に過ぎない。創作的な労力なしで本発明の実施例に基づいて当業者によって得られる他の実施例は全て、本発明の保護範囲内に収まる。
【実施例】
【００１８】
図１は、本発明の実施例による、セル情報を通知する方法のフロー図である。図１に示すように、方法は以下の内容を含む。
【００１９】
Ｓ１０１  接続障害（ｃｏｎｎｅｃｔｉｏｎ  ｆａｉｌｕｒｅ）が端末上で生じる。
【００２０】
あるいは、端末上で生じる接続障害は、端末のソース・セルにおいて生じる無線リンク障害（Ｒａｄｉｏ  Ｌｉｎｋ  Ｆａｉｌｕｒｅ，  ＲＬＦ）であり得、端末上で生じるハンドオーバ障害（Ｈａｎｄｏｖｅｒ  Ｆａｉｌｕｒｅ，  ＨＯＦ）であり得る。
【００２１】
本発明の各実施例では、端末（ｔｅｒｍｉｎａｌ）は、ユーザ機器（ｕｓｅｒ  ｅｑｕｉｐｍｅｎｔ、ＵＥ）（例えば、無線通信装置、ハンドヘルド（ｈａｎｄｈｅｌｄ）装置、又はコードレス電話機（ｃｏｒｄｌｅｓｓ  ｐｈｏｎｅ）であり得る。
【００２２】
Ｓ１０２  端末は、無線リソース制御（Ｒａｄｉｏ  Ｒｅｓｏｕｒｃｅ  Ｃｏｎｔｒｏｌ、ＲＲＣ）接続を再確立する。
【００２３】
この実施例では、端末は、ソース・セルにおけるＲＲＣ接続を再確立し得、更に、ハンドオーバ障害が生じるハンドオーバ・ターゲット・セルにおけるＲＲＣ接続を再確立し、ソース・セル及びハンドオーバ・ターゲット・セル以外の第３のセルにおけるＲＲＣ接続をなお再確立し得る。
【００２４】
Ｓ１０３  端末は、接続障害が生じる前に端末によって記録された近傍セルのイベント情報及びソース・セルの近傍セルのセル識別情報を、ＲＲＣ接続が再確立されるセルを制御する基地局に送出する。
【００２５】
ＲＲＣ接続が再確立されるセルは、ハンドオーバ障害が生じるハンドオーバ・ターゲット・セル、又はソース・セル、又はソース・セル及びハンドオーバ・ターゲット・セル以外の第３のセルであり得る。
【００２６】
説明を容易にするために、「接続障害が生じる前に端末によって記録された近傍セルのイベント情報」は、「近傍セルのイベント情報」とも呼び得、ソース・セルを制御する基地局はソース基地局と呼び得、ハンドオーバ・ターゲット・セルを制御する基地局はハンドオーバ・ターゲット基地局と呼び得、第３のセルを制御する基地局は第３の基地局と呼び得る。
【００２７】
あるいは、近傍セルのイベント情報は、初期ステータス情報、信号品質閾値の充足、トリガ時間（Ｔｉｍｅ  ｔｏ  Ｔｒｉｇｇｅｒ、ＴＴＴ）タイムアウト、及び端末によるハンドオーバ・コマンドの情報のうちの１つを含む。
【００２８】
代替的な実施例として、端末上で生じる接続障害がＲＬＦの場合、
ＲＬＦが端末上で生じる前に、ソース・セルの近傍セルの信号品質が、予め設定された信号品質閾値を充足しない場合、近傍セルのイベント情報は、初期ステータス情報であり、又は、
ＲＬＦが端末上で生じる前に、ソース・セルの近傍セルの信号品質が、予め設定された信号品質閾値を充足せず、ＴＴＴが満了しない場合、近傍セルのイベント情報は信号品質閾値を充足し、又は、
ＲＬＦが端末上で生じる前に、ソース・セルの近傍セルの信号品質が予め設定された信号品質閾値を充足する時間が、予め設定されたＴＴＴ長を超える場合、近傍セルのイベント情報はＴＴＴタイムアウトである。
【００２９】
別の代替的な実施例として、端末上で生じる接続障害がＨＯＦであり、ソース基地局によって送出されたハンドオーバ・コマンドを、ＨＯＦが端末上で生じる際に、端末が受信した場合、近傍セルのイベント情報は、端末によるハンドオーバ・コマンドの受信であり、
ＨＯＦが端末上で生じる際に、端末がプリアンブル・メッセージをハンドオーバ・ターゲット基地局に送出した場合、近傍セルのイベント情報は、端末によるプリアンブルの送出であり、又は、
ＨＯＦが端末上で生じる際に、ハンドオーバ・ターゲット基地局によって返されたプリアンブル応答メッセージを端末が受信した場合、近傍セルのイベント情報は、端末によるプリアンブル応答の獲得であり、又は、
ＨＯＦが端末上で生じる際に、端末が第１の上りリンク・スケジューリング・メッセージをハンドオーバ・ターゲット基地局に送出した場合、近傍セルのイベント情報は、端末によるスケジューリング・メッセージの送出であり、又は、
ＨＯＦが端末上で生じる際に、どのようにして衝突を解決するかを指示し、ハンドオーバ・ターゲット基地局によって返される情報を端末が受信した場合、近傍セルのイベント情報は、どのようにして衝突を解決するかを指示する情報の端末による受信であり、又は、
ＨＯＦが端末上で生じる際に、ハンドオーバ・ターゲット基地局によって供給された、構成されたプリアンブル情報を端末が受信した場合、近傍セルのイベント情報は、端末による、構成されたプリアンブル情報の受信である。
【００３０】
上述の実施例それぞれでは、ソース・セルは１つ又は複数の近傍セルを有し得る。例えば、セルＡがソース・セルである場合、セルＡは、セルＢ、セルＣ、セルＤ、及びセルＥを含む１つ又は複数の近傍セルを有し得る。以下では、説明の目的で、セルＡの近傍セルとしてセルＢ、セルＣ、セルＤ、及びセルＥを使用する。
【００３１】
接続障害が生じる前に端末によって記録された各近傍セルのイベント情報は別個に、ＴＴＴタイムアウト、信号品質閾値の充足、初期ステータス情報、端末によるハンドオーバ・コマンドの受信であり得る。代替的な実施例として、Ｓ１０３では、端末は表１をターゲット基地局に送出し得る。
【００３２】
【表１】
0005869117.tif 000002
ＲＬＦが生じる前に、端末によって記録された、セルＢに対応するイベント情報がＴＴＴタイムアウトであり、セルＣに対応する記録されたイベント情報が信号品質閾値の充足であり、セルＤに対応する記録されたイベント情報が初期ステータス情報であり、セルＥに対応する記録されたイベント情報が、端末によるハンドオーバ・コマンドの受信であるということが表１より分かり得る。以下に、近傍セルのイベント情報を端末によって記録する処理を、例として表１を使用することによって説明する。
【００３３】
まず、端末は近傍セルのイベント情報を初期ステータス情報にセットし、初期化情報は近傍セルのイベント情報の初期ステータスとも呼び得る。例えば、表１における４つの近傍セル全てのイベント情報を初期ステータス情報にセットする。
【００３４】
セルＤの場合：ＲＬＦが端末上で生じる前にセルＤにイベントが生じない場合、すなわち、セルＤの信号品質閾値が、予め設定された信号品質閾値を充足しない場合、ＲＬＦが生じた後にターゲット基地局に端末によって送出されるセルＤのイベント情報は、初期ステータス情報（例えば、表１におけるセルＤに対応するイベント情報）である。
【００３５】
セルＣの場合：端末上でＲＬＦが生じる前に、セルＣの測定された信号品質が、予め設定された信号品質閾値を充足し、ＴＴＴが満了しない場合、端末は、初期ステータス情報から、信号品質閾値の充足に、セルＣに対応するイベント情報を更新する。ＲＬＦが生じた後にターゲット基地局に端末によって送出されるセルＣのイベント情報は、信号品質閾値の充足（例えば、表１におけるセルＣに対応するイベント情報）である。
【００３６】
セルＢの場合：端末上でＲＬＦが生じる前に、セルＢの測定された信号品質が、予め設定された信号品質閾値を充足し、ＴＴＴが満了しない場合、端末は、初期ステータス情報から信号品質閾値の充足に、セルＢに対応するイベント情報を更新し、予め設定された信号品質閾値をセルＢが充足する時間が、予め設定されたＴＴＴ長（すなわち、ＴＴＴタイムアウト）を超える場合、端末は次いで、信号品質閾値の充足から、ＴＴＴタイムアウトに、セルＢに対応するイベント情報を更新する。ＲＬＦが生じた後にターゲット基地局に端末によって送出されるセルＢのイベント情報は、ＴＴＴタイムアウト（例えば、表１におけるセルＢに対応するイベント情報）である。
【００３７】
セルＥの場合：端末上でＲＬＦが生じる前に、セルＥの測定された信号品質が、予め設定された信号品質閾値を充足し、ＴＴＴが満了しない場合、端末は、初期ステータス情報から、信号品質閾値の充足にセルＥに対応するイベント情報を更新し、セルＥが、予め設定された信号品質閾値を充足する時間が、予め設定されたＴＴＴ長（すなわち、ＴＴＴタイムアウト）を超える場合、端末は次いで、信号品質閾値の充足からＴＴＴタイムアウトに、セルＥに対応するイベント情報を更新し、ＨＯＦが生じる前にソース基地局によって送出されたハンドオーバ・コマンドを端末が受信した場合、端末は次いで、ＴＴＴタイムアウトから、端末によるハンドオーバ・コマンドの受信に、セルＥに対応するイベント情報を更新する。端末上でＨＯＦが生じた後にターゲット基地局に端末によって送出されるセルＥのイベント情報は、端末によるハンドオーバ・コマンドの受信（例えば、表１におけるセルＥに対応するイベント情報）である。
【００３８】
新たなイベントが生じると、端末が元のイベント情報を新たなイベント情報で置き換えるということが、端末により、イベント情報を記録する処理から分かり得る。したがって、近傍セルのイベント情報は、近傍セルにおいて最近生じ、近傍セルに関係するイベントを示し、近傍セルのイベント情報は、ＲＬＦ又はＨＯＦが生じた後にターゲット基地局に端末によって通知される。
【００３９】
あるいは、先行セル識別情報は、セルの物理識別情報（Ｉｄｅｎｔｉｔｙ、ＩＤ）であり得、更に、セル・グローバル識別子（Ｃｅｌｌ  Ｇｌｏｂａｌ  Ｉｄｅｎｔｉｆｉｅｒ、ＣＧＩ）であり得、更に、物理ＩＤ及びＣＧＩでなおあり得る。イベント情報はイベント識別情報として表し得る。例えば、これは、数字、文字、文字列、又はそれらの何れかの組合せで表し得る。各イベントは一意のイベント識別情報を有する。例えば、初期ステータスは「０」で表され、信号品質閾値充足は「１」で表され、ＴＴＴタイムアウトは「２」で表され、端末によるハンドオーバ・コマンドの受信は「３」で表されるか、又は初期ステータスが「００」で表され、信号品質閾値の充足が「０１」で表され、ＴＴＴタイムアウトが「１０」で表され、端末によるハンドオーバ・コマンドの受信が「１１」で表される。
【００４０】
別の代替的な実施例として、端末は、ソース基地局によって供給される、ＲＬＦが生じるか否かを判定するよう構成されたタイマＴ３１０、タイマの同期外れ表示を可能にするか否かを判定するよう構成された回数Ｎ３１０、タイマの同期化表示をディセーブルするか否かを判定するよう構成された回数Ｎ３１１、無線リンク制御層における最大再送試行数、及び最大プリアンブル再送試行数のパラメータの１つ又は複数をターゲット基地局に更に送出し得る。
【００４１】
本発明の各実施例では、ソース基地局及びターゲット基地局は、エボルブド基地局ｅＮＢ、基地局（Ｂａｓｅ  Ｓｔａｔｉｏｎ、ＢＳ）、ノードＢ（Ｎｏｄｅ  Ｂ）、アクセス・ポイント（ａｃｃｅｓｓ  ｐｏｉｎｔ、ＡＰ）等であり得る。ソース基地局及びターゲット基地局は、マクロ基地局であり得、更に中規模基地局であり得、更に、マイクロ基地局（例えば、ホーム基地局）であり得る。
【００４２】
前述の実施例において提供される技術的解決策によれば、端末上で接続障害が生じると、端末はＲＲＣ接続を再確立し、接続障害が生じる前に端末によって記録された近傍セルのイベント情報及びソース・セルの近傍セルのセル識別情報を、ＲＲＣ接続が再確立されるセルを制御する基地局に送出する。これにより、基地局が、接続障害が生じる前に端末によって記録された近傍セルのイベント情報、及びソース・セルの近傍セルのセル識別情報をソース基地局に転送するよう、ＲＲＣ接続が再確立されるセルを制御することが可能になる。更に、ソース基地局は、近傍セルが受けるイベントに応じて近傍セルのモビリティ・パラメータを調節し、調節されたモビリティ・パラメータを送出し、それにより、端末ハンドオーバ効率、及びモビリティ・パラメータ調節の精度が向上する。ＲＲＣ接続が再確立されるセル、及びソース・セルが同じ基地局に属している場合、ソース基地局は、接続障害が生じる前に端末によって記録された、近傍セルのイベント情報及びソース・セルの近傍セルのセル識別情報を直接取得し、近傍セルのモビリティ・パラメータを調節し得る。
【００４３】
図２は、本発明の実施例による、セル・モビリティ・パラメータを調節する方法のフロー図である。図２に示すように、方法は以下の内容を含む。
【００４４】
Ｓ２０１  ソース・セルを制御する基地局は、接続障害が生じる前に端末によって記録された近傍セルのイベント情報、及び接続障害が生じた後に端末によって通知されたソース・セルの近傍セルのセル識別情報を獲得する。
【００４５】
Ｓ２０１では、近傍セルのイベント情報及びソース・セルの近傍セルのセル識別情報が、ＲＲＣ接続が再確立されるセルを制御する基地局に端末によって通知され、近傍セルのイベント情報は、接続障害が生じる前に端末によって記録される。特定の通知処理に関する内容については、図１に示す実施例における内容を参照し得、更なる詳細はここで記載しないものとする。
【００４６】
あるいは、接続障害が端末上で生じた後にＲＲＣ接続が再確立されるセル、及びソース・セルが同じ基地局に属する場合、ソース・セルを制御する基地局は、接続障害が生じる前に端末によって記録される近傍セルのイベント情報、及び端末によって通知されたソース・セルの近傍セルのセル識別情報を、端末がＲＲＣ接続を再確立した後に受信する。接続障害が端末上で生じた後にＲＲＣ接続が再確立されるセル、及びソース・セルが別々の基地局に属する場合、ソース・セルを制御する基地局は、接続障害が生じる前に端末によって記録される近傍セルのイベント情報、及びＲＲＣ接続が再確立されるセルを制御する基地局によって転送される、ソース・セルの近傍セルのセル識別情報を、端末がＲＲＣ接続を再確立した後に受信する。
【００４７】
Ｓ２０２  ソース・セルを制御する基地局は、接続障害が生じる前に端末によって記録される近傍セルのイベント情報に応じて近傍セルのモビリティ・パラメータを調節する。
【００４８】
近傍セルのイベント情報が初期ステータス情報である回数が、予め設定された閾値を超える場合、近傍セルのモビリティ・パラメータにおける信号品質閾値が低減され、近傍セルのイベント情報が信号品質閾値を充足する回数が予め設定された閾値を超える場合、近傍セルのモビリティ・パラメータにおけるＴＴＴ長が削減される。
【００４９】
ソース基地局は、１つ又は複数の端末によって通知された近傍セルのイベント情報を受信し得る。したがって、ソース基地局は、経時的に１つ又は複数の端末によって送出される近傍セルのイベント情報の状態についての統計を収集し得る。例えば、経時的に一端末によって送出される特定の近傍セルのイベント情報が初期ステータス情報である場合、これは、近傍セルが、経時的に、予め設定された信号品質閾値を充足しない（すなわち、イベントが生じない）旨を示すか、又は、経時的に複数の端末によって通知される近傍セルのイベント情報の９０％超が初期ステータス情報である場合、これは、近傍セルの予め設定された信号品質閾値を過剰に高い値に設定し得ることを示し、この場合、ソース基地局は、近傍セルの予め設定された信号品質閾値に関するパラメータを適切に調節し得、セル規定オフセット（Ｏｃｎ）、測定イベント・オフセット（ｏｆｆｓｅｔ）等を含め、それにより、予め設定された信号品質閾値の値を低減させ得る。別の例の場合、経時的に１つ又は複数の端末によって通知される特定の近傍セルのイベント情報の９０％超が、予め設定された信号品質閾値の充足である場合、このことは、近傍セルのＴＴＴ長が過剰に長い場合があることを示し、この場合、ソース基地局は、近傍セルのＴＴＴ長を適切に短縮し得る。前述したのは、近傍セルのモビリティ・パラメータをソース基地局によって調節する２つの具体例に過ぎない。しかし、本発明はこのことに限定されない。ソース基地局は、経時的に１つ又は複数の端末によって通知される近傍セルのイベント情報に応じて対応する近傍セルのモビリティ・パラメータを調節し、それにより、より正確な態様で近傍セルのモビリティ・パラメータを調節し、端末ハンドオーバ効率を向上させ得る。
【００５０】
本実施例において提供される技術的解決策によれば、ソース基地局は、接続障害が生じる前に端末によって記録された近傍セルのイベント情報、及び接続障害が生じた後に端末によって通知されるソース・セルの近傍セルのセル識別情報を獲得するので、ソース基地局は、近傍セルのイベント情報に応じて近傍セルをモビリティ・パラメータを調節し、調節されたモビリティ・パラメータを端末に送出し、それにより、端末ハンドオーバ効率、及びモビリティ・パラメータ調節の精度を向上させ得る。
【００５１】
以下は図３に示す実施例である。本実施例は更に、例として以下のシナリオを使用することにより、図１及び図２に示す実施例における技術的解決策を詳細に説明する。ＲＬＦは、ソース基地局によって送出されたハンドオーバ・コマンドを端末が受信する前に端末とソース基地局との間で生じる。この実施例は特に、以下の内容を含む。
【００５２】
Ｓ３０１  端末は、ソース基地局によって送出された測定構成情報を受信し、測定構成情報により、近傍セル及びソース・セル（すなわち、現在のサービング・セル）を測定する。
【００５３】
端末は、ソース基地局によって供給される測定構成情報を受信し、測定構成情報は、ソース・セル及び近傍セルの信号品質を測定する旨を端末に指示し、測定構成情報は近傍セルのモビリティ・パラメータを含む。１つ又は複数の近傍セルが存在し得る。モビリティ・パラメータは、信号品質閾値（例えば、Ａ３閾値）を含み得、Ａ３閾値は、信号品質閾値であり、具体的には、測定通知を通知するために使用され、３ＧＰＰ３６．３３１標準に定義されたイベント閾値である。信号品質は、参照信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）、参照信号受信品質（Ｒｅｆｅｒｅｎｃｅ  Ｓｉｇｎａｌ  Ｒｅｃｅｉｖｉｎｇ  Ｑｕａｌｉｔｙ、ＲＳＲＱ）等であり得る。モビリティ・パラメータは更にＴＴＴ長を含み得、近傍セルの信号品質が予め設定された信号品質閾値を充足する時間がＴＴＴ長を超える場合、端末は測定通知をソース基地局に通知する。
【００５４】
本発明において提供されるセル・モビリティ・パラメータを調節する方法を簡単に説明するために、本実施例は例として以下のシナリオを使用する。セル１は近傍セルである。実際には、端末は複数の近傍セルを測定し得る。
【００５５】
Ｓ３０２  セル１の測定された信号品質が予め設定された信号品質閾値を充足する場合、端末はＴＴＴをイネーブルし、ＴＴＴが満了しない場合、初期ステータス情報から、信号品質閾値の充足にセル１のセル識別情報に対応するイベント情報を更新する。本実施例における信号品質閾値はＡ３閾値であり得る。
【００５６】
予め設定された信号品質閾値は、ソース基地局によって供給される測定構成情報において示された予め設定された閾値である。
【００５７】
本実施例では、セル１のセル識別情報に対応するイベント情報のデフォルト初期値は初期ステータス情報である。セル１の信号品質が、予め設定された信号品質を充足する場合、端末は、初期ステータス情報から、信号品質閾値の充足に、セル１のセル識別情報に対応するイベント情報を更新する。
【００５８】
端末の複数の近傍セルの信号品質が全て、予め設定された信号品質閾値を充足する場合、端末は、初期ステータス情報から、信号品質閾値の充足に、各近傍セルのセル識別情報に対応するイベント情報を更新する。
【００５９】
Ｓ３０３  セル１に設定されたＴＴＴが満了する場合、すなわち、セル１の信号品質が、ＴＴＴ内の予め設定された信号品質閾値を充足する場合、端末は、セル１のセル識別情報に対応するイベント情報をＴＴＴタイムアウトに更新し、端末は測定通知をソース基地局に通知する。
【００６０】
ＴＴＴ長は、ソース基地局によって供給される測定構成情報において示されるＴＴＴ長であり得る。
【００６１】
Ｓ３０４  ＲＬＦは、端末のソース・セルにおいて生じ、端末はＲＲＣ接続を再確立し、端末は、ＲＲＣ接続が再確立されるセルを制御する基地局にセル１に対応するイベント情報及びセル１のセル識別情報を通知する。あるいは、端末は、セル１のセル識別情報及びセル１に対応するイベント情報をＲＬＦ通知に収容し、ＲＲＣ接続が再確立されるセルを制御する基地局にＲＬＦ通知を通知し得る。ＲＲＣ接続が再確立されるセルはソース・セルであってもなくてもよい。本実施例は、説明の目的で例として以下のシナリオを使用する。ＲＲＣ接続が再確立されるセルはソース・セルでなく、ＲＲＣ接続が再確立されるセルと、ソース・セルは別々の基地局に属する。
【００６２】
本実施例のシナリオは、セル１の信号品質が予め設定された信号品質閾値を充足する時間がＴＴＴ長を超える状態になった後、すなわち、セル１に対応するイベント情報がＴＴＴタイムアウトに更新された後、ＲＬＦは端末のソース・セルにおいて生じる。したがって、本実施例のＳ３０４では、ＲＲＣ接続が再確立されるセルを制御する基地局に端末によって通知されるセル１のイベント情報はＴＴＴタイムアウトである。
【００６３】
セル１の信号品質が予め設定された信号品質閾値を充足しない場合、ＲＬＦが端末のソース・セルにおいて生じ、すなわち、Ｓ３０４がＳ３０１の後に直接実行される場合、セル１に対応するイベント情報はなお初期ステータス情報である。この場合、Ｓ３０４では、ＲＲＣ接続が再確立されるセルを制御する基地局に端末によって通知されるセル１のイベント情報は初期ステータス情報である。
【００６４】
セル１の信号品質が、設定された閾値を充足するがＴＴＴタイムアウトが生じない場合、ＲＬＦが端末のソース基地局上で生成され（Ｓ３０４がＳ３０２後に実行され）、セル１に対応するイベント情報は、信号品質閾値の充足を示す識別情報である。この場合、Ｓ３０４では、ＲＲＣ接続が再確立されるセルを制御する基地局に端末によって通知されるセル１のイベント情報は、信号品質閾値の充足である。
【００６５】
更に、端末は更に、ＲＲＣ接続が再確立されるセルを制御する基地局に、ソース基地局によって供給される以下の情報の１つ又は複数を通知して、Ｔ３１０（具体的には、ＲＬＦが生じるか否かを判定するタイマである）、Ｎ３１０（Ｑｏｕｔを通知する回数であり、Ｑｏｕｔは、同期外れが生じるか否かを判定する信号品質閾値である）、無線リンク制御（Ｒａｄｉｏ  ｌｉｎｋ  ｃｏｎｔｒｏｌ、ＲＬＣ）再送の最大試行数、ランダム・アクセス・チャネル（Ｒａｎｄｏｍ  Ａｃｃｅｓｓ  Ｃｈａｎｎｅｌ、ＲＡＣＨ）プリアンブル再送の最大試行数等、ソース基地局が近傍セルのモビリティ・パラメータを調節することを支援し得る。
【００６６】
Ｓ３０５  ＲＲＣ接続が再確立されるセルを制御する基地局は、端末によって通知されるセル１のセル識別情報、及びセル１に対応するイベント情報をソース基地局に転送する。
【００６７】
Ｓ３０６  ソース基地局はセル１に対応するイベント情報に応じてセル１のモビリティ・パラメータを調節する。
【００６８】
Ｓ３０６におけるセル１のモビリティ・パラメータを調節する方法については、図２に示す実施例における詳細な内容を参照し得る。ここでは更なる詳細は記載しないものとする。
【００６９】
本実施例において提供される技術的解決策によれば、端末上でＲＬＦが生じると、端末はＲＲＣ接続を再確立し、ＲＬＦが生じる前に端末によって記録された近傍セルのイベント情報及びソース・セルの近傍セルのセル識別情報を、ＲＲＣ接続が再確立されるセルを制御する基地局に送出する。これにより、ＲＲＣ接続が再確立されるセルを制御する基地局が、ＲＬＦが生じる前に端末によって記録された近傍セルのイベント情報、及びソース・セルの近傍セルのセル識別情報をソース基地局に転送することが可能になる。更に、ソース基地局は、近傍セルが受けたイベントに応じて近傍セルのモビリティ・パラメータを調節し、調節されたモビリティ・パラメータを端末に送出し得る。これは更に、端末ハンドオーバ効率、及びモビリティ・パラメータ調節の精度を向上させる。ＲＲＣ接続が再確立されるセル、及びソース・セルが同じ基地局に属している場合、ソース基地局は、接続障害が生じる前に端末によって記録された、近傍セルのイベント情報及びソース・セルの近傍セルのセル識別情報を直接取得し、近傍セルのモビリティ・パラメータを調節し得る。
【００７０】
図４は、本発明の更に別の実施例による、セル・モビリティ・パラメータを調節する方法のフロー図である。図４に示すように、本実施例は、端末がハンドオーバ・コマンドを受信した後にＨＯＦが生じるという点で上述の実施例と異なる。この方法は具体的には、以下の内容を含む。
【００７１】
Ｓ４０１  端末は、ソース基地局によって送出された測定構成情報を受信し、測定構成情報により、近傍セル及びソース・セル（すなわち、現在のサービング・セル）を測定する。
【００７２】
Ｓ４０２  セル２の測定された信号品質が予め設定された信号品質閾値（本実施例では、閾値はＡ３閾値に設定される）を充足する場合、端末はＴＴＴをイネーブルし、ＴＴＴが満了しない場合、初期ステータス情報から、信号品質閾値の充足にセル２のセル識別情報に対応するイベント情報を更新する。
【００７３】
Ｓ４０３  セル２に設定されたＴＴＴが満了する場合、すなわち、セル２の信号品質が、ＴＴＴ内の予め設定された信号品質閾値を充足する場合、端末は、セル２のセル識別情報に対応するイベント情報をＴＴＴタイムアウトに更新し、端末は測定通知をソース基地局に通知する。
【００７４】
Ｓ４０１乃至Ｓ４０３の処理は、図３に示す実施例におけるＳ３０１乃至Ｓ３０３の処理と同様である。詳細については、図３に示す実施例を参照し得る。
【００７５】
Ｓ４０４  端末は、ソース基地局によって送出されたハンドオーバ・コマンド（例えば、ＨＯコマンド）を受信し、端末は、ＴＴＴタイムアウトから、端末による、ハンドオーバ・コマンドの受信に、セル２に対応するイベント情報を更新する。
【００７６】
ハンドオーバ・コマンドを受信した後、端末は、ソース基地局から切断され、ハンドオーバ・ターゲット基地局との接続を確立し始める。
【００７７】
Ｓ４０５  ＨＯＦが端末上で生じる。すなわち、ハンドオーバ・ターゲット基地局に対するハンドオーバに失敗する。
【００７８】
Ｓ４０６  端末は、ＲＲＣ接続を再確立し、セル２のセル識別情報及びセル２に対応するイベント情報をＲＬＦ通知に収容し、ＲＲＣ接続再確立を制御する基地局にＲＬＦ通知を通知する。セル２に対応するイベント情報は、端末によるハンドオーバ・コマンドの受信である。
【００７９】
本実施例では、ＲＲＣ接続再確立を制御する基地局はソース基地局であり得、更に、ハンドオーバ障害が生じるハンドオーバ・ターゲット基地局であり得、更に、ソ―ス基地局及びハンドオーバ・ターゲット基地局以外の第３の基地局であり得る。本実施例は、説明の目的で例として以下のシナリオを使用する。すなわち、ＲＲＣ接続再確立を制御する基地局は、ハンドオーバ・ターゲット基地局又は第３の基地局であり、ＲＲＣ接続再確立を制御する基地局、及びソース基地局は別々の基地局である。
【００８０】
更に、端末は更に、ＲＲＣ接続再確立を制御する基地局に、ソース基地局によって供給される以下の情報の１つ又は複数を通知して、Ｔ３１０、Ｎ３１０、Ｎ３１１、ＲＬＣ再送の最大試行数、ランダム・アクセス・プリアンブル再送の最大試行数等。近傍セルのモビリティ・パラメータをソース基地局が調節することを支援し得る。
【００８１】
Ｓ４０７  ＲＲＣ接続再確立を制御する基地局は、端末によって通知されるセル１のセル識別情報、及びセル１に対応するイベント情報を端末のソース基地局に転送する。
【００８２】
Ｓ４０８ソース基地局はセル２に対応するイベント情報に応じてセル２のモビリティ・パラメータを調節する。
【００８３】
Ｓ４０８におけるセル２のモビリティ・パラメータを調節する方法については、図２に示す実施例における詳細な内容を参照し得る。ここでは更なる詳細は記載しないものとする。
【００８４】
あるいは、ソース基地局によって送出されたハンドオーバ・コマンドを受信した後、端末は更に、ハンドオーバ・ターゲット基地局に対するランダム・アクセス又は非ランダム・アクセスを開始し得る。
【００８５】
ハンドオーバ・ターゲット基地局に対して端末により、ランダム・アクセス（ＲＡＣＨ）を開始する処理では、あるいは、ハンドオーバ・ターゲット基地局にプリアンブル・メッセージを送出した後、端末はセル２に対応するイベント情報を、端末によるプリアンブルの送出に更新し得る。ハンドオーバ・タ―ゲット基地局によって送出されたプリアンブル応答メッセージを受信した後、端末は、プリアンブル応答を獲得する端末にセル２に対応するイベント情報を更新し得る。第１の上りリンク・スケジューリング・メッセージをハンドオーバ・ターゲット基地局に送出した後、端末は、セル２に対応するイベント情報を、スケジューリング・メッセージを送出する端末に更新し得、どのようにして衝突を解決するかを指示し、ハンドオーバ・ターゲット基地局によって返される情報を受信した後、端末は、セル２に対応するイベント情報を、どのようにして衝突を解決するかを指示する情報を受信する端末に更新し得る。
【００８６】
実現可能な実現態様として、セル２のイベント情報は、識別情報の形式で表し得、例えば、プリアンブルを送出する端末は「４」で表し得、プリアンブル応答を獲得する端末は「５」で表し得、スケジューリング・メッセージを送出する端末は「６」で表し得、どのようにして衝突を解決するかを指示する情報を受信する端末は「７」で表し得る。
【００８７】
ハンドオーバ・ターゲット基地局に対して、端末により、非ランダム・アクセスを開始する処理では、ハンドオーバ・ターゲット基地局によって供給される構成されたプリアンブル情報を受信した後、端末は、セル２に対応するイベント情報を、端末による、構成されたプリアンブル情報の受信に更新する。端末が、プリアンブルをハンドオーバ・タ―ゲット基地局に送出した場合、端末は、セル２に対応するイベント情報を、端末による、プリアンブルの送出に更新し、端末が、ハンドオーバ・ターゲット基地局によって返されたプリアンブル応答メッセージを受信した場合、端末は、セル２に対応するイベント情報を、端末による、プリアンブル応答の獲得に更新する。
【００８８】
よって、端末によって通知されるセル２のイベント情報が、端末によるプリアンブルの送出、端末によるプリアンブル応答の獲得、端末によるスケジューリング・メッセージの送出、端末による、どのようにして衝突を解決するかを指示する情報の受信、又は、端末による、構成されたプリアンブル情報の受信である場合、ソース基地局はセル２の上りリンク電力を調節し得る。
【００８９】
本実施例において提供される技術的解決策によれば、端末上でＨＯＦが生じると、端末はＲＲＣ接続を再確立し、ＨＯＦが生じる前に端末によって記録された近傍セルのイベント情報及びソース・セルの近傍セルのセル識別情報を、ＲＲＣ接続が再確立されるセルを制御する基地局に送出する。これにより、ＲＲＣ接続が再確立されるセルを制御する基地局が、ＨＯＦが生じる前に端末によって記録された近傍セルのイベント情報、及びソース・セルの近傍セルのセル識別情報をソース基地局に転送することが可能になる。更に、ソース基地局は、近傍セルが受けたイベントに応じて近傍セルのモビリティ・パラメータを調節し、調節されたモビリティ・パラメータを端末に送出し得る。これは更に、端末ハンドオーバ効率、及びモビリティ・パラメータ調節の精度を向上させる。ＲＲＣ接続が再確立されるセル、及びソース・セルが同じ基地局に属している場合、ソース基地局は、接続障害が生じる前に端末によって記録された、近傍セルのイベント情報及びソース・セルの近傍セルのセル識別情報を直接取得し、近傍セルのモビリティ・パラメータを調節し得る。
【００９０】
上述の実施例の方法における手順の全部又は一部を、関連するハードウェアを指示するプログラムによって実現し得るということを当業者は理解すべきである。プログラムはコンピュータ読み取り可能な記憶媒体に記憶し得る。プログラムが実行されると、上述の方法の実施例における手順を含み得る。記憶媒体は、磁気ディスク、光ディスク、リードオンリ・メモリ（Ｒｅａｄ−Ｏｎｌｙ  Ｍｅｍｏｒｙ、ＲＯＭ）、ランダム・アクセス・メモリ（Ｒａｎｄｏｍ  Ａｃｃｅｓｓ  Ｍｅｍｏｒｙ，  ＲＡＭ）等であり得る。
【００９１】
図５は、本発明の実施例による端末の概略構造図である。図５に示すように、端末５０は検出装置１１、再確立装置１２、及び送出装置１３を含む。
【００９２】
検出装置１１は端末上で生じる接続障害を検出するよう構成され、再確立装置１２は、端末上で接続障害が生じたと検出装置が検出すると、無線リソース制御ＲＲＣ接続を再確立するよう構成され、送出装置１３は、接続障害が生じる前に、端末によって記録された近傍セルのイベント情報、及びソース・セルの近傍セルのセル識別情報を、ＲＲＣ接続が再確立されるセルを制御する基地局に送出するよう構成される。
【００９３】
あるいは、送出装置１３によって送出される近傍セルのイベント情報は、初期ステータス情報、信号品質閾値の充足、トリガ時間（ＴＴＴ）タイムアウト、及び端末による、ハンドオーバ・コマンドの受信の情報のうちの１つを含む。
【００９４】
検出装置１１によって検出された接続障害が、端末のソース・セルにおいて生じるＲＬＦである場合、
（１）端末上でＲＬＦが生じる前に、近傍セルの信号品質が、予め設定された信号品質閾値を充足しない場合、送出装置１３によって送出される近傍セルのイベント情報は初期ステータス情報であり、又は、
（２）端末上でＲＬＦが生じる前に、近傍セルの信号品質が、予め設定された信号品質閾値を充足し、トリガ時間（ＴＴＴ）が満了しない場合、送出装置１３によって送出される近傍セルのイベント情報は信号品質閾値であり、又は、
（３）ＲＬＦが端末上で生じる前に、近傍セルの信号品質が予め設定された信号品質閾値を充足する時間が、予め設定されたＴＴＴ長を超える場合、送出装置１３によって送出される、近傍セルのイベント情報はＴＴＴタイムアウトである。
【００９５】
検出装置１１によって検出された接続障害が、端末上で生じるＨＯＦである場合、
（１）端末が、ソース・セルを制御する基地局によって送出されたハンドオーバ・コマンドを受信した場合、送出装置１１によって送出された近傍セルのイベント情報は、端末による、ハンドオーバ・コマンドの受信であり、又は
（２）ＨＯＦが端末上で生じたと検出装置１１が検出した際に、ハンドオーバ・ターゲット・セルを制御する基地局に端末がプリアンブル・メッセージを送出した場合、送出装置１３によって送出された近傍セルのイベント情報は、端末によるプリアンブルの送出であり、又は、
（３）ＨＯＦが端末上で生じたと検出装置が検出した際に、ハンドオーバ・ターゲット・セルを制御する基地局によって返されたプリアンブル応答メッセージを端末が受信した場合、送出装置１３によって送出された近傍セルのイベント情報は、端末によるプリアンブル応答の獲得であり、又は、
（４）ＨＯＦが端末上で生じたと検出装置１１が検出した際に、ハンドオーバ・ターゲット・セルを制御する基地局に端末が第１の上りリンク・スケジューリング・メッセージを送出した場合、送出装置１３によって送出された近傍セルのイベント情報は、端末によるスケジューリング・メッセージの送出であり、又は、
（５）ＨＯＦが端末上で生じたと検出装置１１が検出した際に、衝突をどのようにして解決するかを指示し、ハンドオーバ・ターゲット・セルを制御する基地局によって返される情報を端末が受信した場合、送出装置１３によって送出される、近傍セルのイベント情報は、どのようにして衝突を解決するかを指示する情報の、端末による受信であり、又は、
（６）ＨＯＦが端末上で生じたと検出装置が検出した際に、ハンドオーバ・ターゲット・セルを制御する基地局によって供給される構成されたプリアンブル情報を端末が受信した場合、送出装置１３によって送出された近傍セルのイベント情報は、端末による構成されたプリアンブル情報の受信である。
【００９６】
あるいは、送出装置１３は、ターゲット・セルを制御する基地局に、ソース・セルを制御する基地局によって供給される、ＲＬＦが生じるか否かを判定するよう構成されたタイマ、タイマの同期外れ表示を可能にするか否かを判定するよう構成された回数、タイマの同期化表示をディセーブルするか否かを判定するよう構成された回数、無線リンク制御層における最大再送試行数、及び最大プリアンブル再送試行数のパラメータのうちの１つ又は複数の送出するよう更に構成される。
【００９７】
本実施例による端末は、図１乃至図４に示す方法の実施例における端末によって処理される内容を実現し得る。更なる詳細はここでは記載しないものとする。
【００９８】
本発明の前述の実施例によれば、接続障害が生じる際に、ＲＲＣ接続を再確立するためには、端末は、接続障害が生じる前に端末によって記録された近傍セルのイベント情報及びソース・セルの近傍セルのセル識別情報を、ＲＲＣ接続が再確立されるセルを制御する基地局に送出する。これにより、ＲＲＣ接続が再確立されるセルを制御する基地局が、接続障害が生じる前に端末によって記録された近傍セルのイベント情報、及びソース・セルの近傍セルのセル識別情報をソース基地局に転送することが可能になる。更に、ソース基地局は、近傍セルが受けたイベントに応じて近傍セルのモビリティ・パラメータを調節し、調節されたモビリティ・パラメータを端末に送出し得る。これは更に、端末ハンドオーバ効率、及びモビリティ・パラメータ調節の精度を向上させる。ＲＲＣ接続が再確立されるセル、及びソース・セルが同じ基地局に属している場合、ソース基地局は、接続障害が生じる前に端末によって記録された、近傍セルのイベント情報及びソース・セルの近傍セルのセル識別情報を直接取得し、近傍セルのモビリティ・パラメータを調節し得る。
【００９９】
図６は、本発明の実施例による基地局の概略構造図である。図６に示すように、基地局は獲得装置２１及び調節装置２２を含む。
【０１００】
獲得装置２１は、接続障害が生じる前に端末によって記録されたソース・セルの近傍セルのイベント情報、及び接続障害が生じた後に端末によって通知されるソース・セルの近傍セルのセル識別情報を獲得するよう構成される。調節装置２２は、接続障害が生じる前に、獲得装置２１によって獲得され、端末によって記録される、近傍セルのイベント情報に応じて近傍セルのモビリティ・パラメータを調節するよう構成される。
【０１０１】
あるいは、ソース・セルと、接続障害が生じた後に端末がＲＲＣ接続を再確立するセルが同じ基地局である場合、接続障害が生じる前に端末によって記録された近傍セルのイベント情報及び端末によって通知されたソース・セルの近傍セルのセル識別情報を、端末がＲＲＣ接続を再確立した後に受信するよう更に構成される。
【０１０２】
ソース・セルと、接続障害が生じた後に端末がＲＲＣ接続を再確立するセルが別々の基地局である場合、獲得装置は、接続障害が生じる前に端末によって記録された近傍セルのイベント情報、及びＲＲＣ接続が再確立されるセルを制御する基地局によって転送される、ソース・セルの近傍セルのセル識別情報を、端末がＲＲＣ接続を再確立した後に受信するよう更に構成される。
【０１０３】
あるいは、獲得装置によって獲得される近傍セルのイベント情報は、初期ステータス情報、信号品質閾値の充足、トリガ時間（ＴＴＴ）タイムアウト、及び端末によるハンドオーバ・コマンドの受信の情報のうちの１つを含む。
【０１０４】
特定の実施例として、調節装置２２は、具体的には、近傍セルのイベント情報が初期ステータス情報である回数が、予め設定された閾値を超える場合、近傍セルのモビリティ・パラメータにおける信号品質閾値を低減し、近傍セルのイベント情報が信号品質閾値を充足する回数が予め設定された閾値を超える場合、近傍セルのモビリティ・パラメータにおけるＴＴＴ長を削減する。
【０１０５】
本発明の本実施例による基地局は、端末のソース基地局であり、図２に示す実施例によるセル・モビリティ・パラメータを調節する方法に対応するのは、方法の実施例を実行する装置である。その具体的な実行処理については、方法の実施例を参照し得る。ここでは、更なる詳細は記載しないものとする。
【０１０６】
本実施例において提供される技術的解決策によれば、ソース基地局は、接続障害が生じる前に端末によって記録された近傍セルのイベント情報、及び接続障害が生じた後に端末によって通知される近傍セルのセル識別情報を獲得するので、ソース基地局を制御する基地局は、近傍セルのイベント情報に応じて近傍セルのモビリティ・パラメータを調節し、調節されたモビリティ・パラメータを端末に送出し、それにより、端末ハンドオーバ効率、及びモビリティ・パラメータ調節の精度を向上させ得る。
【０１０７】
図７は、本発明の実施例による、セル情報を通知する方法のフロー図である。図７に示すように、方法は以下の内容を含む。
【０１０８】
Ｓ７０１  接続障害（ｃｏｎｎｅｃｔｉｏｎ  ｆａｉｌｕｒｅ）が端末上で生じる。
【０１０９】
あるいは、端末上で生じる接続障害は、端末のソース・セルにおいて生じるＲＬＦであり得、更に、端末上で生じるＨＯＦであり得る。
【０１１０】
本発明の各実施例では、端末（ｔｅｒｍｉｎａｌ）は、ＵＥ（例えば、無線通信装置、ハンドヘルド（ｈａｎｄｈｅｌｄ）装置、又はコードレス電話機（ｃｏｒｄｌｅｓｓ  ｐｈｏｎｅ）．）であり得る。
【０１１１】
Ｓ７０２  端末はＲＲＣ接続を再確立する。
【０１１２】
この実施例では、端末は、ソース・セルにおけるＲＲＣ接続を再確立し得、更に、ハンドオーバ・ターゲット・セルにおけるＲＲＣ接続を再確立し、ソース・セル及びハンドオーバ・ターゲット・セル以外の第３のセルにおけるＲＲＣ接続をなお再確立し得る。
【０１１３】
Ｓ７０３  端末は、接続障害が生じる前に端末によって記録されたソース・セルのイベント情報及びソース・セルのセル識別情報を、ＲＲＣ接続が再確立されるセルを制御する基地局に送出する。
【０１１４】
端末は、接続障害が生じる前に端末によって記録された、ソース・セルの近傍セルのイベント情報、及び近傍セルのセル識別情報を、ＲＲＣ接続が再確立されるセルを制御する基地局に送出し、近傍セル及びソース・セルは周波数間セル又はシステム間セルであり、又は、
端末は、接続障害が生じる前に端末によって記録された、ソース・セルの近傍セルのイベント情報、近傍セルのセル識別情報、接続障害が生じる前に端末によって記録されたソース・セルのイベント情報、及びソース・セルのセル識別情報を、ＲＲＣ接続が再確立されるセルを制御する基地局に送出し、近傍セル及びソース・セルは周波数間セル又はシステム間セルである。
【０１１５】
ＲＲＣ接続が再確立されるセルは、ハンドオーバ障害が生じるハンドオーバ・ターゲット・セル、又はソース・セル、又はソース・セル及びハンドオーバ・ターゲット・セル以外の第３のセルであり得る。
【０１１６】
説明を容易にするために、以下の実施例では、「接続障害が生じる前に端末によって記録されたソース・セルのイベント情報」は更に、「ソース・セルのイベント情報」と呼び得、接続障害が生じる前に端末によって近傍セルのイベント情報が記録された、ソース・セルとは異なる周波数又は通信システムにおける近傍セルのイベント情報は更に、「近傍セルのイベント情報」と呼び得る。ソース・セルを制御する基地局は更に、ソース基地局と呼び得、ハンドオーバ・ターゲット・セルを制御する基地局は更に、ハンドオーバ・ターゲット基地局と呼び得、第３のセルを制御する基地局は更に、第３の基地局と呼び得る。
【０１１７】
あるいは、ソース・セルのイベント情報は、初期ステータス情報、信号品質閾値の充足、又はＴＴＴタイムアウトを含み得る。
【０１１８】
代替的な実施例として、端末上で生じる接続障害がＲＬＦの場合、
端末上でＲＬＦが生じる前に、ソース・セルの信号品質が、予め設定された信号品質閾値を充足しない場合、ソース・セルのイベント情報は初期ステータス情報であり、又は、
端末上でＲＬＦが生じる前に、ソース・セルの信号品質が、予め設定された信号品質閾値を充足する場合、ソース・セルのイベント情報は信号品質閾値の充足であり、又は、
ＲＬＦが端末上で生じる前に、ソース・セルの信号品質が予め設定された信号品質閾値を充足する時間が、予め設定されたＴＴＴ長を超える場合、ソース・セルのイベント情報はＴＴＴタイムアウトである。
【０１１９】
ソース・セルとは異なる周波数又は通信システムにおける近傍セルのイベント情報は、初期ステータス情報、信号品質閾値の充足、ＴＴＴタイムアウト、及び端末による、ハンドオーバ・コマンドの受信の情報のうちの１つを含む。
【０１２０】
代替的な実施例として、
端末上でＲＬＦが生じる前に、近傍セルの信号品質が、予め設定された信号品質閾値を充足しない場合、近傍セルのイベント情報は初期ステータス情報であり、又は、
端末上でＲＬＦが生じる前に、近傍セルの信号品質が、予め設定された信号品質閾値を充足するが、ＴＴＴが満了しない場合、近傍セルのイベント情報は信号品質閾値の充足であり、又は、
ＲＬＦが端末上で生じる前に、近傍セルの信号品質が予め設定された信号品質閾値を充足する時間が、予め設定されたＴＴＴ長を超える場合、近傍セルのイベント情報はＴＴＴタイムアウトである。別の代替的な実施例として、端末上で生じる接続障害がＨＯＦであり、ソース基地局によって送出されたハンドオーバ・コマンドを、ＨＯＦが端末上で生じる前に、端末が受信した場合、ソース・セルと異なる周波数又は通信システムにおける近傍セルのイベント情報は、端末によるハンドオーバ・コマンドの受信であり、
ＨＯＦが端末上で生じる際に、端末がプリアンブル・メッセージをハンドオーバ・ターゲット基地局に送出した場合、近傍セルのイベント情報は、端末によるプリアンブルの送出であり、又は、
ＨＯＦが端末上で生じる際に、ハンドオーバ・ターゲット基地局によって返されたプリアンブル応答メッセージを端末が受信した場合、近傍セルのイベント情報は、端末によるプリアンブル応答の獲得であり、又は、
ＨＯＦが端末上で生じる際に、端末が第１の上りリンク・スケジューリング・メッセージをハンドオーバ・ターゲット基地局に送出した場合、近傍セルのイベント情報は、端末によるスケジューリング・メッセージの送出であり、又は、
ＨＯＦが端末上で生じる際に、衝突をどのようにして解決するかを指示し、ハンドオーバ・ターゲット基地局によって返される情報を端末が受信した場合、近傍セルのイベント情報は、どのようにして衝突を解決するかを指示する情報の、端末による受信であり、又は、
ＨＯＦが端末上で生じる際に、ハンドオーバ・ターゲット基地局によって供給された、構成されたプリアンブル情報を端末が受信した場合、近傍セルのイベント情報は、端末による、構成されたプリアンブル情報の受信である。
【０１２１】
上述の実施例それぞれでは、ソース・セルと異なる周波数又は通信システムにある１つ又は複数の近傍セルが存在し得る。例えば、セルＡがソース・セルである場合、セルＡが、セルＢ、セルＣ、セルＤ、及びセルＥを含む周波数間又はシステム間の１つ又は複数の近傍セルを有し得る。セルＢ、セルＣ、セルＤ、及びセルＥは、セルＡと異なる周波数又は通信システムにある。すなわち、それらは、セルＡの周波数間セル又はシステム間セルである。以下では、説明の目的でセルＡの近傍セルとしてセルＢ、セルＣ、セルＤ、及びセルＥを使用する。
【０１２２】
接続障害が生じる前に端末によって記録されたソース・セルのイベント情報はＴＴＴタイムアウトであり得、ソース・セルの上述の近傍セルそれぞれのイベント情報は別個に、信号品質閾値の充足、初期ステータス、端末によるハンドオーバ・コマンドの受信、及びＴＴＴタイムアウトであり得る。代替的な実施例として、Ｓ７０３では、端末は、表２をターゲット基地局に送出し得る。
【０１２３】
【表２】
0005869117.tif 000003
ＲＬＦが生じる前に、端末によって記録されたセルＡ（ソース・セル）のイベント情報がＴＴＴタイムアウトであり、セルＢに対応する記録されたイベント情報が信号品質閾値の充足であり、セルＣに対応する記録されたイベント情報が初期ステータス情報であり、セルＤの記録されたイベント情報が端末によるハンドオーバ・コマンドの受信であり、セルＥの記録されたイベント情報がＴＴＴタイムアウトであるということが表２から分かり得る。以下に、近傍セルのイベント情報を端末によって記録する処理を、例として表２を使用することによって説明する。
【０１２４】
最初に、端末は近傍セル及びソース・セルのイベント情報を初期ステータス情報にセットし、初期ステータス情報は更に、近傍セル及びソース・セルのイベント情報の初期ステータスであり得る。例えば、端末は、表２における４つの近傍セル及び１つのソース・セルのイベント情報全てを初期ステータス情報にセットする。
【０１２５】
セルＣについて：ＲＬＦが端末上で生じる前にセルＣにイベントが生じない場合、すなわち、セルＣの信号品質閾値が、予め設定された信号品質閾値を充足しない場合、ＲＬＦが生じた後にターゲット基地局に端末によって送出されるセルＣのイベント情報は、初期ステータス情報（例えば、表２におけるセルＣに対応するイベント情報）である。
【０１２６】
セルＢについて：端末上でＲＬＦが生じる前に、測定されたセルＡが信号品質閾値を充足し、すなわち、セルＡのイベント情報が信号品質閾値を充足し、信号品質閾値がＡ２閾値であり、セルＢが信号品質閾値を充足し、信号品質閾値は、セルＢ及びセルＡが異なる周波数にある実現シナリオにおけるＡ４閾値であり得、セルＢ及びセルＡが異なる通信システムにある実現シナリオにおけるＢ１閾値であり得、端末は、初期ステータス情報から信号品質閾値の充足に、セルＢに対応するイベント情報を更新し得る。ＲＬＦが生じた後にターゲット基地局に端末によって送出されるセルＢのイベント情報は、信号品質閾値の充足（例えば、表１におけるセルＢに対応するイベント情報）である。
【０１２７】
ソースセル（セルＡ）の場合、端末上でＲＬＦが生じる前に、セルＡの測定された信号品質が予め設定された信号品質閾値（信号品質閾値がＡ２閾値であり得る）を充足する場合、端末は、初期ステータス情報から、信号品質閾値の充足に、セルＡに対応するイベント情報を更新し得、端末上でＲＬＦが生じる前に、セルＡの信号品質が予め設定された信号品質閾値を充足する時間が予め設定されたＴＴＴ長を超える場合、端末は、信号品質閾値の充足からＴＴＴタイムアウトに、セルＡに対応するイベント情報を更新し得る。ＲＬＦが生じた後にターゲット基地局に端末によって送出されるセルＡのイベント情報は、ＴＴＴタイムアウト（例えば、表２におけるセルＡに対応するイベント情報）である。
【０１２８】
セルＤについて：端末上でＲＬＦが生じる前に、セルＤの測定された信号品質が予め設定された信号品質閾値を充足する場合、端末は、初期ステータス情報から、信号品質閾値の充足に、セルＤに対応するイベント情報を更新し、ＨＯＦが生じる前に、端末が、ソース基地局によって送出されたハンドオーバ・コマンドを受信した場合、端末は次いで、信号品質閾値の充足から、端末による、ハンドオーバ・コマンドの受信に、セルＤに対応するイベント情報を更新する。端末上でＨＯＦが生じた後にターゲット基地局に端末によって送出されるセルＤのイベント情報は、端末によるハンドオーバ・コマンドの受信（例えば、表２におけるセルＤに対応するイベント情報）である。
【０１２９】
セルＥについて：端末上でＲＬＦが生じる前に、セルＥの測定された信号品質が、予め設定された信号品質閾値を充足している場合、端末は、初期ステータス情報から、信号品質閾値の充足に、セルＥに対応するイベント情報を更新し、セルＥの測定された信号品質が予め設定された信号品質閾値を充足する時間が予め設定されたＴＴＴ長を超える場合、端末は、信号品質閾値の充足から、ＴＴＴ長に、セルＥに対応するイベント情報を更新する。ＲＬＦが生じた後にターゲット基地局に端末によって送出されるセルＥのイベント情報は、ＴＴＴ長（例えば、表２におけるセルＥに対応するイベント情報）である。
【０１３０】
新たなイベントが生じると、端末が元のイベント情報を新たなイベント情報で置き換えるということが、イベント情報を端末によって記録する処理から分かり得る。したがって、ＲＬＦ又はＨＯＦが生じた後、ターゲット基地局に端末によって通知されるソース・セルのイベント情報は、ソース・セルにおいて最近生じ、ソース・セルに関係するイベントを示し、ターゲット基地局に端末によって通知される近傍セルのイベント情報は、近傍セルにおいて生じ、近傍セルに関係するイベントを示す。
【０１３１】
あるいは、セル識別情報は、セルの物理ＩＤであり得、ＣＧＩであり得、更に、物理ＩＤ及びＣＧＩであり得る。イベント情報はイベント識別情報によって表し得る。例えば、これは、数字、文字、文字列、又はそれらの何れかの組合せによって表し得る。各イベントは一意のイベント識別情報を有する。例えば、初期ステータスは「０」で表され、信号品質閾値充足は「１」で表され、ＴＴＴタイムアウトは「２」で表され、端末によるハンドオーバ・コマンドの受信は「３」で表されるか、又は初期ステータスが「００」で表され、信号品質閾値の充足が「０１」で表され、端末によるハンドオーバ・コマンドの受信が「１１」で表される。
【０１３２】
あるいは、別の代替的な実施例として、端末は、ソース基地局によって供給される、ＲＬＦが生じるか否かを判定するよう構成されたタイマＴ３１０、タイマの同期外れ表示を可能にするか否かを判定するよう構成された回数Ｎ３１０、タイマの同期化表示をディセーブルするか否かを判定するよう構成された回数Ｎ３１１、無線リンク制御層における最大再送試行数、及び最大プリアンブル再送試行数のパラメータの１つ又は複数をターゲット基地局に更に送出し得る。
【０１３３】
本発明の各実施例では、ソース基地局及びターゲット基地局はエボルブド基地局ｅＮＢ、ＢＳ、ノードＢ、ＡＰ等であり得る。ソース基地局及びターゲット基地局は、マクロ基地局であり得、更に中規模基地局であり得、更に、マイクロ基地局（例えば、ホーム基地局）であり得る。
【０１３４】
本実施例において提供される前述の技術的解決策によれば、接続障害が端末上で生じると、端末はＲＲＣ接続を再確立し、接続障害が生じる前に端末によって記録されたソース・セルのイベント情報及びソース・セルのセル識別情報を、ＲＲＣ接続が再確立されるセルを制御する基地局に送出するか、又は、ソース・セルとは別の通信システム又は周波数における近傍セルのイベント情報及び近傍セルのセル識別情報を、ＲＲＣ接続が再確立されるセルを制御する基地局に送出するか、又は、ＲＲＣ接続が再確立されるセルを制御する基地局に、近傍セルのイベント情報及び近傍セルのセル識別情報、ソース・セルのイベント情報、並びにソース・セルのセル識別情報を、ＲＲＣ接続が再確立されるセルを制御する基地局に送出し、よって、ＲＲＣ接続が再確立されるセルを制御する基地局は、端末によって通知された上述の情報をソース基地局に転送し、次いで、ソース基地局は、ソース・セルと別のシステム又は周波数における近傍セルが受けるイベント及び／又は、ソース・セルが受けるイベントに応じてモビリティ・パラメータを調節し、それにより、端末ハンドオーバ効率、及びモビリティ・パラメータ調節の精度を向上させる。
【０１３５】
図８は、本発明の実施例による、セル・モビリティ・パラメータを調節する方法のフロー図である。図８に示すように、方法は以下の内容を含む。
【０１３６】
Ｓ８０１  接続障害が生じ、端末がＲＲＣ接続を再確立した後、ＲＲＣ接続が再確立されるセルを制御する基地局は端末によって通知された情報を受信する。
【０１３７】
端末によって通知される情報は、接続障害が生じる前に端末によって記録されたソース・セルのイベント情報及びソース・セルのセル識別情報を含むか、又は、接続障害が生じる前に端末によって記録された近傍セルのイベント情報及びソース・セルの近傍セルのセル識別情報を含むか、又は、接続障害が生じる前に端末によって記録された近傍セルのイベント情報、ソース・セルの近傍セルのセル識別情報、接続障害が生じる前に端末によって記録されたソース・セルのイベント情報、及びソース・セルのセル識別情報を含み、近傍セル及びソース・セルは周波数間セル又はシステム間セルである。
【０１３８】
Ｓ８０１では、接続障害が生じる前に端末によって記録されたソース・セルのイベント情報及びソース・セルのセル識別情報は、ＲＲＣ接続が再確立されるセルを制御する基地局に端末によって通知され、接続障害が生じる前に端末によって記録された近傍セルのイベント情報及びソース・セルの近傍セルのセル識別情報は、ＲＲＣ接続が再確立されるセルを制御する基地局に端末によって通知される。
【０１３９】
あるいは、ＲＲＣ接続が再確立されるセルを制御する基地局によって受信されたソース・セルのイベント情報は、初期ステータス情報、信号品質閾値の充足、又はトリガ時間ＴＴＴタイムアウトを含み得る。
【０１４０】
実現可能な実現態様として、端末上で生じる接続障害が、端末のソース・セルにおいて生じる無線リンク障害ＲＬＦであり、
（１）端末上でＲＬＦが生じる前に、ソース・セルの信号品質が、予め設定された信号品質閾値を充足しない場合、端末によって通知される情報におけるソース・セルのイベント情報は初期ステータス情報であり、又は、
（２）端末上でＲＬＦが生じる前に、ソース・セルの信号品質が、予め設定された信号品質閾値を充足する場合、端末によって通知される情報におけるソース・セルのイベント情報は信号品質閾値の充足であり、又は、
（３）ＲＬＦが端末上で生じる前に、ソース・セルの信号品質が予め設定された信号品質閾値を充足する時間が、予め設定されたトリガ時間ＴＴＴ長を超える場合、端末によって通知される情報におけるソース・セルのイベント情報はＴＴＴタイムアウトである。
【０１４１】
あるいは、ＲＲＣ接続が再確立されるセルを制御する基地局によって受信される近傍セルのイベント情報は、初期ステータス情報、信号品質閾値の充足、トリガ時間（ＴＴＴ）タイムアウト、及び端末によるハンドオーバ・コマンドの受信の情報のうちの１つを含み得る。
【０１４２】
実現可能な実現態様として、端末上で生じる接続障害が、端末のソース・セルにおいて生じる無線リンク障害ＲＬＦであり、
（１）端末上でＲＬＦが生じる前に、近傍セルの信号品質が、予め設定された信号品質閾値を充足しない場合、端末によって通知される情報における近傍セルのイベント情報は初期ステータス情報であり、又は、
（２）端末上でＲＬＦが生じる前に、近傍セルの信号品質が、予め設定された信号品質閾値を充足する場合、端末によって通知される情報における近傍セルのイベント情報は信号品質閾値の充足であり、又は、
（３）ＲＬＦが端末上で生じる前に、近傍セルの信号品質が予め設定された信号品質閾値を充足する時間が、予め設定されたトリガ時間ＴＴＴ長を超える場合、端末によって通知される情報における近傍セルのイベント情報はＴＴＴタイムアウトである。
【０１４３】
別の実現可能な実現態様として、端末上で生じる接続障害が、端末上で生じるハンドオーバ障害ＨＯＦであり、
（１）端末上でＨＯＦが生じる際に、ソース・セルを制御する基地局によって送出されたハンドオーバ・コマンドを端末が受信した場合、端末によって通知される情報における近傍セルのイベント情報が、端末によるハンドオーバ・コマンドの受信であり、
（２）端末上でＨＯＦが生じる際に、ハンドオーバ・ターゲット・セルを制御する基地局にプリアンブル・メッセージを端末が送出した場合、端末によって通知される情報における近傍セルのイベント情報が、端末によるプリアンブルの送出であり、
（３）端末上でＨＯＦが生じる際に、ハンドオーバ・ターゲット・セルを制御する基地局によって返されるプリアンブル応答メッセージを端末が受信した場合、端末によって通知される情報における近傍セルのイベント情報が、端末によるプリアンブル応答の獲得であり、
（４）端末上でＨＯＦが生じる際に、ハンドオーバ・ターゲット・セルを制御する基地局に第１の上りリンク・スケジューリング・メッセージを端末が送出した場合、端末によって通知される情報における近傍セルのイベント情報が、端末によるスケジューリング・メッセージの送出であり、
（５）端末上でＨＯＦが生じる際に、衝突をどのようにして解決するかを指示し、ハンドオーバ・ターゲット・セルを制御する基地局によって返される情報を端末が受信した場合、端末によって通知される近傍セルのイベント情報は、どのようにして衝突を解決するかを指示する情報の、端末による受信であり、又は、
（６）端末上でＨＯＦが生じる際に、ハンドオーバ・ターゲット・セルを制御する基地局によって供給される構成されたプリアンブル情報を端末が受信した場合、端末によって通知される情報における近傍セルのイベント情報が、端末による、構成されたプリアンブル情報の受信である。
【０１４４】
Ｓ８０２．ＲＲＣ接続が再確立されるセルを制御する基地局は、ソース・セルを制御する基地局に、端末によって通知される情報を転送する。
【０１４５】
端末によって通知された情報を受信した後、ＲＲＣ接続が再確立されるセルを制御する基地局は、端末によって通知された情報を、ソース・セルを制御する基地局に転送し得、よって、ソース・セルを制御する基地局は、ソース・セルと別の周波数又はシステムにおける近傍セルが受けるイベント及び／又はソース・セルが受けるイベントについて、端末によって通知される情報に応じてモビリティ・パラメータを調節し、端末ハンドオーバ効率、及びモビリティ・パラメータ調節の精度を向上させ得る。
【０１４６】
本実施例において提供される技術的解決策によれば、ＲＲＣ接続が再確立されるセルを制御する基地局は、端末によって通知される、接続障害が生じる前に端末によって記録されたソース・セルのイベント情報及びソース・セルのセル識別情報、又は、近傍セルのイベント情報及びソース・セルとは別の周波数又は通信システムにおける近傍セルのセル識別情報、又は近傍セルのイベント情報及び近傍セルのセル識別情報、及びソース・セルのイベント情報及びソース・セルのセル識別情報ＲＲＣ接続が再確立されるセルの情報を受信する。ＲＲＣ接続が再確立されるセルを制御する基地局は、ソース・セルを制御する基地局に、端末によって通知される情報を転送し得る。次いで、ソース・セルを制御する基地局は、ソース・セルとは別の周波数又はシステムにおける近傍セルが受けるイベント及び／又はソース・セルが受けるイベントに応じてモビリティ・パラメータを調節し、それにより、端末ハンドオーバ効率、及びモビリティ・パラメータ調節の精度を向上させ得る。
【０１４７】
本発明は更に、ＲＲＣ接続が再確立されるセルを制御する基地局によって転送され、端末によって通知される情報を受信した後、ソース・セルとは別の周波数又はシステムにおける近傍セルのモビリティ・パラメータ及び／又はソース・セルのモビリティ・パラメータを、ソース・セルを制御する基地局によって調節する実施例を提供する。
【０１４８】
例えば、ソース・セルのイベント情報が初期ステータス情報である回数が予め設定された閾値を超える場合、ソース・セルを制御する基地局はソース・セルのモビリティ・パラメータにおける信号品質閾値を増加させ得る。
【０１４９】
例えば、ソース・セルと別の周波数又はシステムにおける近傍セルの場合、ソース・セルのイベント情報が信号品質閾値の充足である回数が予め設定された閾値を超え、近傍セルのイベント情報が初期ステータス情報である回数が予め設定された閾値を超える場合、ソース・セルを制御する基地局は、近傍セルのモビリティ・パラメータにおける信号品質閾値を低減させ得る。
【０１５０】
ソース基地局は、１つ又は複数の端末によって通知されたソース・セルのイベント情報を受信し得る。したがって、ソース基地局は、経時的に、１つ又は複数の端末によって送出されるソース・セルのイベント情報の状態についての統計を収集し得る。例えば、経時的に一端末によって送出されるソース・セルのイベント情報が初期ステータス情報である場合、これは、経時的に、予め設定された信号品質閾値をソース・セルが充足しないこと、すなわち、イベントが生じないことを示し、又は、経時的に、複数の端末によって通知されるソース・セルのイベント情報の９０％超が初期ステータス情報である場合、ソース基地局は、ソース・セルの予め設定された信号品質閾値に関するパラメータを適切に調節して、ソース・セルの信号品質閾値を増加させ得る。経時的に、複数の端末によって通知されるソース・セルのイベント情報の大半が信号品質閾値の充足であり、経時的に複数の端末によって通知される、ソース・セルと別の周波数又は通信システムにおける近傍セルのイベント情報の大半が初期ステータス情報であり、これは、近傍セルの信号品質閾値を過剰に高い値にセットし得、この場合、ソース基地局は、近傍セルの予め設定された信号品質閾値に関するパラメータを適切に調節して、近傍セルの信号品質閾値を低減させ得る。前述したのは、ソース・セルのモビリティ・パラメータをソース基地局によって調節する２つの具体例に過ぎない。しかし、本発明はこのことに限定されない。ソース基地局は、経時的に１つ又は複数の端末によって通知される、ソース・セルのイベント情報に応じてソース・セルのモビリティ・パラメータを調節し、それにより、より正確な態様でソース・セルのモビリティ・パラメータを調節し、端末ハンドオーバ効率を向上し得る。
【０１５１】
上述したのは、ソース・セルと別の周波数又は通信システムにおける近傍セルのモビリティ・パラメータ及び／又はソース・セルのモビリティ・パラメータをソース基地局によって調節する２つの具体例に過ぎない。しかし、本発明はこのことに限定されない。
【０１５２】
本実施例において提供される技術的解決策によれば、ＲＲＣ接続が再確立されるセルを制御する基地局は、端末によって通知される、接続障害が生じる前に端末によって記録されたソース・セルのイベント情報及びソース・セルのセル識別情報、又は、近傍セルのイベント情報及びソース・セルとは別の周波数又は通信システムにおける近傍セルのセル識別情報、又は近傍セルのイベント情報及び近傍セルのセル識別情報、及びソース・セルのイベント情報及びソース・セルのセル識別情報の情報を受信する。ＲＲＣ接続が再確立されるセルを制御する基地局は、ソース・セルを制御する基地局に、端末によって通知される情報を転送し得る。次いで、ソース・セルを制御する基地局は、ソース・セルが受けるイベントに応じてソース・セルのモビリティ・パラメータを調節し得、更に、ソース・セルとは別の周波数又はシステムにおける近傍セルが受け、ソース・セルが受けるイベントに応じて近傍セルのモビリティ・パラメータを調節し、それにより、端末ハンドオーバ効率及びモビリティ・パラメータ調節の精度を向上させ得る。
【０１５３】
以下は図９に示す実施例である。本実施例は更に、例として以下のシナリオを使用することにより、図７及び図８に示す実施例における技術的解決策を詳細に説明する。すなわち、ＲＬＦは、ソース基地局によって送出されたハンドオーバ・コマンドを端末が受信する前に端末とソース基地局との間で生じる。本実施例は、ＲＲＣ接続が再確立されるセルを制御する基地局にソース・セルのイベント情報及びソース・セルのセル識別情報を端末が送出し、よって、ソース基地局が、セル１に対応するイベント情報に応じてセル１のモビリティ・パラメータを基地局が調節する特定の処理を、ソース・セルとしてセル１を使用することによって説明する。本実施例は特に、以下の内容を含む。
【０１５４】
Ｓ９０１  端末は、ソース基地局によって送出された第１の測定構成情報を受信し、第１の測定構成情報により、ソース・セル（すなわち、現在のサービング・セル）、及びソース・セルと同じ周波数の近傍セルを測定する。
【０１５５】
端末は、ソース基地局によって供給される第１の測定構成情報を受信し、第１の測定構成情報は、ソース・セル及び周波数内近傍セルの信号品質を測定する旨を端末に指示し、第１の測定構成情報はソース・セル及び近傍セルのモビリティ・パラメータを含む。モビリティ・パラメータは、信号品質閾値（例えば、Ａ２閾値）を含み得、Ａ２閾値は、信号品質閾値であり、具体的には、測定通知を通知するために使用され、３ＧＰＰ３６．３３１標準に定義されたイベント閾値である。信号品質はＲＳＲＰ、ＲＳＲＱ等であり得る。モビリティ・パラメータは更にＴＴＴ長を含み得、ソース・セルの信号品質が、ＴＴＴ長内で、予め設定された信号品質閾値を充足する場合、端末は測定通知をソース基地局に通知する。
【０１５６】
Ｓ９０２  セル１の測定された信号品質が、予め設定された信号品質閾値を充足する場合、端末は、初期ステータス情報から、信号品質閾値の充足に、セル１のセル識別情報に対応するイベント情報を更新する。
【０１５７】
予め設定された信号品質閾値（例えば、Ａ２閾値）は、ソース基地局によって供給される第１の測定構成情報において示された予め設定された閾値である。
【０１５８】
本実施例では、セル１のセル識別情報に対応するイベント情報のデフォルト初期値は初期ステータス情報である。セル１の信号品質が、予め設定された信号品質を充足する場合、端末は、初期ステータス情報から、信号品質閾値の充足に、セル１のセル識別情報に対応するイベント情報を更新する。
【０１５９】
Ｓ９０３  セル１の測定された信号品質が予め設定された信号品質閾値を充足した時間が予め設定されたＴＴＴ長を超える場合、端末は、信号品質閾値の充足からＴＴＴタイムアウトにセル１のセル識別情報に対応するイベント情報を更新し、測定通知を通知する。
【０１６０】
Ｓ９０４  基地局は第２の測定構成情報を端末に供給し、第２の測定構成情報は、周波数間又は周波数内の周波数点におけるモビリティ・パラメータ、及び周波数間又は周波数内の周波数点における測定のための測定ギャップ（ＧＡＰ）を含む。
【０１６１】
Ｓ９０５  端末は、Ｓ９０４で第２の測定構成情報に応じて周波数間近傍セル又はシステム間近傍セルを測定し、周波数間又はシステム間の近傍セルが測定条件を充足しない場合、ＲＬＦが端末のセル１において生じ、端末がＲＲＣ接続を再確立し、端末は、ＲＲＣ接続が再確立されるセルを制御する基地局に、セル１に対応するイベント情報及びセル１のセル識別情報を通知する。
【０１６２】
あるいは、端末は、セル１のセル識別情報及びセル１に対応するイベント情報をＲＬＦ通知に収容し、ＲＬＦ通知をＲＲＣ接続が再確立されるセルを制御する基地局に通知し得る。ＲＲＣ接続が再確立されるセルはソース・セルであってもなくてもよい。本実施例は、説明の目的で例として以下のシナリオを使用する。ＲＲＣ接続が再確立されるセルはソース・セルでなく、ＲＲＣ接続が再確立されるセルと、ソース・セルは別々の基地局に属する。
【０１６３】
本実施例は以下の実現シナリオを提供する。セル１の信号品質が予め設定された信号品質閾値を充足する時間が予め設定されたＴＴＴ長を超える場合、ＲＬＦが端末のソース基地局上で生じ、セル１に対応するイベント情報がＴＴＴタイムアウトの識別情報である。この場合、Ｓ９０５では、ＲＲＣ接続が再確立されるセルを制御する基地局に端末によって通知されるセル１のイベント情報はＴＴＴタイムアウトである。
【０１６４】
セル１の信号品質が予め設定された信号品質閾値を充足しない場合、ＲＬＦは端末のソース・セルにおいて生じ、すなわち、Ｓ９０５がＳ９０１の後に直接実行される場合、セル１に対応するイベント情報はなお初期ステータス情報である。この場合、Ｓ９０５では、ＲＲＣ接続が再確立されるセルを制御する基地局に端末によって通知されるセル１のイベント情報は初期ステータス情報である。セル１が信号品質閾値を充足するが、ＴＴＴが満了しない場合、ＲＬＦが端末のソース・セルにおいて生じ、すなわち、Ｓ９０５がＳ９０２の後に直接実行される場合、セル１に対応するイベント情報はなお信号品質閾値の充足である。
【０１６５】
更に、端末は更に、ＲＲＣ接続が再確立されるセルを制御する基地局に、ソース基地局によって供給される、Ｔ３１０（具体的には、ＲＬＦが生じるか否かを定めるタイマである）、Ｎ３１０  （Ｑｏｕｔを通知する回数であり、Ｑｏｕｔは、同期外れが生じるか否かを定める信号品質閾値である）、ＲＬＣ再送の最大試行数、ＲＡＣＨプリアンブル再送の最大試行数等の情報の１つ又は複数を通知して、ソース基地局が近傍セルのモビリティ・パラメータを調節することを支援し得る。
【０１６６】
Ｓ９０６  ＲＲＣ接続が再確立されるセルを制御する基地局は、端末によって通知されるセル１のセル識別情報、及びセル１に対応するイベント情報をソース基地局に転送する。
【０１６７】
Ｓ９０７  ソース基地局はセル１に対応するイベント情報に応じてセル１のモビリティ・パラメータを調節する。
【０１６８】
例えば、ソース・セルのイベント情報が初期ステータス情報である回数が予め設定された閾値を超える場合、ソース基地局はソース・セルのモビリティ・パラメータにおける信号品質閾値を増加させる。
【０１６９】
Ｓ９０７におけるセル１のモビリティ・パラメータを調節する方法については、更に、図８に示す実施例における詳細な内容を参照し得る。ここでは更なる詳細は記載しないものとする。
【０１７０】
本実施例において提供される技術的解決策によれば、端末上でＲＬＦが生じると、端末はＲＲＣ接続を再確立し、ＲＬＦが生じる前に端末によって記録されたソース・セルのイベント情報及びソース・セルのセル識別情報を、ＲＲＣ接続が再確立されるセルを制御する基地局に送出する。これにより、ＲＲＣ接続が再確立されるセルを制御する基地局が、ＲＬＦが生じる前に端末によって記録されたソース・セルのイベント情報、及びソース・セルのセル識別情報をソース基地局に転送することが可能になる。更に、ソース基地局は、ソース・セルが受けたイベントに応じてソース・セルのモビリティ・パラメータを調節し、調節されたモビリティ・パラメータを端末に送出し得る。これは更に、端末ハンドオーバ効率、及びモビリティ・パラメータ調節の精度を向上させる。ＲＲＣ接続が再確立されるセル、及びソース・セルが同じ基地局に属している場合、ソース基地局は、接続障害が生じる前に端末によって記録された、ソース・セルのイベント情報及びソース・セルのセル識別情報を直接取得し、近傍セルのモビリティ・パラメータを調節し得る。
【０１７１】
以下は図１０に示す実施例である。本実施例は更に、例として以下のシナリオを使用することにより、図７及び図８に示す実施例における技術的解決策を詳細に説明する。ＲＬＦは、ソース基地局によって送出されたハンドオーバ・コマンドを端末が受信する前にソース基地局上で生じる。本実施例は、ＲＲＣ接続が再確立されるセルを制御する基地局にセル２のイベント情報及びセル２のセル識別情報を端末が送出し、よって、ソース基地局が、セル２に対応するイベント情報に応じてセル２のモビリティ・パラメータを調節する特定の処理を、ソース・セルの近傍セルとしてセル２を使用することによって説明する。セル２は、ソース・セルの周波数間セル又はシステム間セルである。本実施例は特に、以下の内容を含む。
【０１７２】
Ｓ１００１  端末は、ソース基地局によって送出された第１の測定構成情報を受信し、第１の測定構成情報により、ソース・セル（すなわち、現在のサービング・セル）、及びソース・セルと同じ周波数の近傍セルを測定する。
【０１７３】
端末は、ソース基地局によって供給される第１の測定構成情報を受信し、第１の測定構成情報は、ソース・セル及び近傍セルの信号品質を測定する旨を端末に指示し、第１の測定構成情報はソース・セル及び近傍セルのモビリティ・パラメータを含む。第１の測定構成情報における近傍セルのモビリティ・パラメータは、ソース・セルと同じ周波数における近傍セルのモビリティ・パラメータである。１つ又は複数の近傍セルが存在し得る。モビリティ・パラメータは信号品質閾値を含み得る。例えば、ソース・セルと同じ周波数及び通信システムにおける近傍セルの場合、信号品質閾値はＡ３閾値であり得、Ａ３閾値は信号品質閾値であり、具体的には、測定通知を通知するために使用され、３ＧＰＰ３６．３３１標準において定義されたイベント閾値である。信号品質はＲＳＲＰ、ＲＳＲＱ等であり得る。
【０１７４】
ソース・セルと同じ周波数における近傍セルの場合、モビリティ・パラメータは更にＴＴＴ長を含み得、近傍セルの信号品質が予め設定された信号品質を充足する時間がＴＴＴ長を超える場合、端末は測定通知をソース基地局に通知する。
【０１７５】
本発明において提供されるセル・モビリティ・パラメータを調節する方法を簡単に説明するために、本実施例は例として以下のシナリオを使用する。セル２は近傍セルである。実際には、端末は複数の近傍セルを測定し得る。
【０１７６】
Ｓ１００２  端末によって測定されたソース・セルの信号品質は予め設定された信号品質閾値を充足し、端末は、ソース・セルが信号品質を充足する旨のイベントを通知する。
【０１７７】
ソース・セルの信号品質閾値は例えば、Ａ２イベントであり得る。
【０１７８】
Ｓ１００３  ソース・セルの測定された信号品質が予め設定された信号品質閾値を充足した時間が予め設定されたＴＴＴ長を超える場合、端末は、信号品質閾値の充足からＴＴＴタイムアウトにソース・セルのセル識別情報に対応するイベント情報を更新し、測定通知を通知する。
【０１７９】
Ｓ１００４  端末は、ソース基地局によって供給された第２の測定構成メッセージを受信し、第２の測定構成メッセージに応じてセル２を測定し、第２の測定構成メッセージは、周波数間又は周波数内の周波数点におけるモビリティ・パラメータ、及び周波数間又は周波数内の周波数点における測定のための測定ギャップ（ＧＡＰ）を含む。
【０１８０】
同じ周波数点のセルのモビリティ・パラメータは同じである。したがって、ソース基地局は、周波数間又は周波数点間におけるモビリティ・パラメータ、及び周波数間又は周波数点間における測定の時間ギャップを第２の測定構成メッセージに収容し、第２の測定構成メッセージを端末に送出し、よって、端末が、ソース・セルと別の周波数又はシステムにおける近傍セルを測定し得る。
【０１８１】
周波数間又は周波数点間にあり、ソース基地局によって供給され、端末によって受信される第２の測定構成情報に収容されるモビリティ・パラメータは信号品質閾値を含み得る。例えば、ソース・セルとは別の周波数における近傍セルの場合、信号品質閾値はＡ４閾値であり得、ソース・セルと別のシステムにおける近傍セルの場合、信号品質閾値はＢ１閾値であり得る。
【０１８２】
ソース・セルの信号品質が予め設定された信号品質閾値（すなわち、ソース・セルのＡ閾値）を充足する場合、ソース・セルと別の周波数又は通信システムにおけるセル２の信号品質を測定するよう端末がトリガされる。ソース・セルにおける信号品質が予め設定された信号品質閾値を充足しない場合、端末はセル２の信号品質を測定しない。
【０１８３】
Ｓ１００５  セル２の測定された信号品質が、予め設定された信号品質閾値を充足する場合、端末は、初期ステータス情報から、信号品質閾値の充足に、セル２のセル識別情報に対応するイベント情報を更新する。
【０１８４】
セル２がソース・セルの周波数間セルである場合、信号品質閾値がＡ４閾値であり得、セル２がソース・セルのシステム間セルである場合、信号品質閾値はＢ１閾値であり得る。
【０１８５】
予め設定された信号品質閾値は、ソース基地局によって供給される測定構成情報において示された予め設定された閾値である。
【０１８６】
本実施例では、セル２のセル識別情報に対応するイベント情報のデフォルト初期値は初期ステータス情報である。セル２の信号品質が、予め設定された信号品質閾値を充足する場合、端末は、初期ステータス情報から、信号品質閾値の充足に、セル２のセル識別情報に対応するイベント情報を更新する。
【０１８７】
端末の複数の近傍セルの信号品質が全て、予め設定された信号品質閾値を充足する場合、端末は、初期ステータス情報から、信号品質閾値の充足に、各近傍セルのセル識別情報に対応するイベント情報を更新する。
【０１８８】
Ｓ１００６  端末は、セル２の測定通知をソース基地局に通知する。
【０１８９】
Ｓ１００７  ＲＬＦは、端末のソース・セルにおいて生じ、端末はＲＲＣ接続を再確立し、端末は、ＲＲＣ接続が再確立されるセルを制御する基地局にセル２に対応するイベント情報及びセル２のセル識別情報を通知する。
【０１９０】
あるいは、端末は、セル２のセル識別情報及びセル２に対応するイベント情報をＲＬＦ通知に収容し、ＲＬＦ通知をＲＲＣ接続が再確立されるセルを制御する基地局に送出し得る。ＲＲＣ接続が再確立されるセルはソース・セルであってもなくてもよい。本実施例は、説明の目的で例として以下のシナリオを使用する。ＲＲＣ接続が再確立されるセルはソース・セルでなく、ＲＲＣ接続が再確立されるセルと、ソース・セルは別々の基地局に属する。
【０１９１】
本実施例のシナリオでは、セル２の信号品質が予め設定された信号品質閾値を充足する場合（セル２に対応するイベント情報が、信号品質閾値の充足に更新されている場合）にのみ、ＲＬＦが、端末のソース・セルにおいて生じる。したがって、本実施例のＳ１００６では、ＲＲＣ接続が再確立されるセルを制御する基地局に端末によって通知されるセル２のイベント情報は、信号品質閾値の充足である。
【０１９２】
セル２の信号品質が予め設定された信号品質閾値を充足しない場合、ＲＬＦは端末のソース・セルにおいて生じ、すなわち、Ｓ１００７がＳ１００２の後に直接実行される場合、セル２に対応するイベント情報はなお初期ステータス情報である。この場合、Ｓ１１０７では、ＲＲＣ接続が再確立されるセルを制御する基地局に端末によって通知されるセル２のイベント情報は初期ステータス情報である。セル２の信号品質が予め設定された信号品質閾値を充足する時間が、セットされた長さであるＴＴＴ長を超え、ＲＬＦが端末のソース・セルにおいて生じる場合、ＲＲＣ接続が再確立されるセルを制御する基地局に端末によって通知されるセル２のイベント情報はＴＴＴ長である。
【０１９３】
更に、端末は更に、ＲＲＣ接続が再確立されるセルを制御する基地局に、ソース基地局によって供給されるＴ３１０（具体的には、ＲＬＦが生じるか否かを判定するタイマである）、Ｎ３１０  （Ｑｏｕｔを通知する回数であり、Ｑｏｕｔは、同期外れが生じるか否かを判定する信号品質閾値である）、ＲＬＣ再送の最大試行数、ＲＡＣＨプリアンブル再送の最大試行数等の情報の１つ又は複数を通知して、ソース基地局が近傍セルのモビリティ・パラメータを調節することを支援し得る。
【０１９４】
Ｓ１００８  ＲＲＣ接続が再確立されるセルを制御する基地局は、端末によって通知されるセル２のセル識別情報、及びセル２に対応するイベント情報をソース基地局に転送する。
【０１９５】
Ｓ１００９  ソース基地局はソース・セル、及びセル２に対応するイベント情報に応じてセル２のモビリティ・パラメータを調節する。
【０１９６】
Ｓ１００９においてセル２のモビリティ・パラメータを調節する方法については、上述する実施例における詳細な内容を参照し得る。更なる詳細はここでは記載しないものとする。
【０１９７】
本実施例において提供される技術的解決策によれば、端末上でＲＬＦが生じると、端末はＲＲＣ接続を再確立し、ＲＬＦが生じる前に端末によって記録された近傍セルのイベント情報及びソース・セルとは別の周波数又はシステムにおける近傍セルのセル識別情報を、ＲＲＣ接続が再確立されるセルを制御する基地局に送出する。これにより、ＲＲＣ接続が再確立されるセルを制御する基地局が、近傍セルのイベント情報、及び近傍セルのセル識別情報をソース基地局に転送することが可能になる。更に、ソース基地局は、近傍セルが受けたイベントに応じて、かつ、ソース・セルが受けたイベントに応じて近傍セルのモビリティ・パラメータを調節し、調節されたモビリティ・パラメータを端末に送出し得る。これは更に、端末ハンドオーバ効率、及びモビリティ・パラメータ調節の精度を向上させる。ＲＲＣ接続が再確立されるセル、及びソース・セルが同じ基地局に属している場合、ソース基地局は、接続障害が生じる前に端末によって記録された、近傍セルのイベント情報及びソース・セルと別の周波数又は通信システムにおける近傍セルのセル識別情報を直接取得し、近傍セルのモビリティ・パラメータを調節し得る。
【０１９８】
図１１は、本発明の実施例による端末の概略構造図である。図１１に示すように、端末７０は検出装置１１、再確立装置１２、及び送出装置１３を含む。
【０１９９】
検出装置１１は、端末上で生じる接続障害を検出するよう構成される。再確立装置１２は、端末上で接続障害が生じた旨を検出装置が検出すると、無線リソース制御ＲＲＣ接続を再確立するよう構成される。送出装置１３は、接続障害が生じる前に端末によって記録された、ソース・セルのイベント情報及びソース・セルのセル識別情報を、ＲＲＣ接続が再確立されるセルを制御する基地局に送出し、又は、接続障害が生じる前に端末によって記録された、ソース・セルの近傍セルのイベント情報及びソース・セルのセル識別情報を、ＲＲＣ接続が再確立されるセルを制御する基地局に送出し、近傍セル及びソース・セルが周波数間セル又はシステム間セルであり、又は、接続障害が生じる前に端末によって記録された、ソース・セルの近傍セルのイベント情報、及び近傍セルのセル識別情報、並びに、接続障害が生じる前に端末によって記録された、ソース・セルのイベント情報及びソース・セルのセル識別情報を、ＲＲＣ接続が再確立されるセルを制御する基地局に送出し、近傍セル及びソース・セルが周波数間セル又はシステム間セルであるよう構成される。
【０２００】
あるいは、送出装置１３によって送出されるソース・セルのイベント情報は、初期ステータス情報、信号品質閾値の充足、又はＴＴＴタイムアウトを含む。
【０２０１】
あるいは、送出装置１３によって送出される近傍セルのイベント情報は、初期ステータス情報、信号品質閾値の充足、ＴＴＴタイムアウト、及び端末によるハンドオーバ・コマンドの受信の情報の１つを含む。
【０２０２】
あるいは、検出装置１１によって検出された接続障害が、端末のソース・セルにおいて生じるＲＬＦである場合、
（１）端末上でＲＬＦが生じる前に、ソース・セルの信号品質が、予め設定された信号品質閾値を充足しない場合、送出装置１３によって送出されるソース・セルのイベント情報は初期ステータス情報であり、又は、
（２）端末上でＲＬＦが生じる前に、ソース・セルの信号品質が、予め設定された信号品質閾値を充足する場合、送出装置１３によって送出される、ソース・セルのイベント情報は信号品質閾値の充足であり、又は、
（３）端末上でＲＬＦが生じる前に、ソース・セルの信号品質が予め設定された信号品質閾値を充足する時間が、予め設定されたＴＴＴ長を超える場合、送出装置１３によって送出される、ソース・セルのイベント情報はＴＴＴタイムアウトである。
【０２０３】
あるいは、検出装置１１によって検出された接続障害が、端末のソース・セルにおいて生じるＲＬＦである場合、
（１）端末上でＲＬＦが生じる前に、近傍セルの信号品質が、予め設定された信号品質閾値を充足しない場合、送出装置１３によって送出される近傍セルのイベント情報は初期ステータス情報であり、又は、
（２）端末上でＲＬＦが生じる前に、近傍セルの信号品質が、予め設定された信号品質閾値を充足する場合、送出装置１３によって送出される、近傍セルのイベント情報は信号品質閾値の充足であり、又は、
（３）端末上でＲＬＦが生じる前に、ソース・セルの信号品質が予め設定された信号品質閾値を充足し、近傍セルの信号品質が予め設定された信号品質閾値を充足している時間が予め設定されたＴＴＴ長を超える場合、送出装置１３によって送出される、近傍セルのイベント情報はＴＴＴタイムアウトである。
【０２０４】
検出装置１１によって検出された接続障害が、端末上で生じるハンドオーバ障害ＨＯＦである場合、
（１）端末が、ソース・セルを制御する基地局によって送出されたハンドオーバ・コマンドを受信した場合、送出装置１３によって送出された近傍セルのイベント情報は、端末によるハンドオーバ・コマンドの受信であり、又は、
（２）ＨＯＦが端末上で生じたと検出装置１１が検出した際に、ハンドオーバ・ターゲット・セルを制御する基地局に端末がプリアンブル・メッセージを送出した場合、送出装置１３によって送出された近傍セルのイベント情報は、端末によるプリアンブルの送出であり、又は、
（３）ＨＯＦが端末上で生じたと検出装置が検出した際に、ハンドオーバ・ターゲット・セルを制御する基地局によって返されたプリアンブル応答メッセージを端末が受信した場合、送出装置１３によって送出された近傍セルのイベント情報は、端末によるプリアンブル応答の獲得であり、又は、
（４）ＨＯＦが端末上で生じたと検出装置１１が検出した際に、ハンドオーバ・ターゲット・セルを制御する基地局に端末が第１の上りリンク・スケジューリング・メッセージを送出した場合、送出装置１３によって送出された近傍セルのイベント情報は、端末によるスケジューリング・メッセージの送出であり、又は、
（５）ＨＯＦが端末上で生じたと検出装置１１が検出した際に、どのようにして衝突を解決するかを指示し、ハンドオーバ・ターゲット・セルを制御する基地局によって返される情報を端末が受信した場合、送出装置１３によって送出される、近傍セルのイベント情報は、どのようにして衝突を解決するかを指示する情報の、端末による受信であり、又は、
（６）ＨＯＦが端末上で生じたと検出装置が検出した際に、ハンドオーバ・ターゲット・セルを制御する基地局によって供給される構成されたプリアンブル情報を端末が受信した場合、送出装置１３によって送出された近傍セルのイベント情報は、端末による構成されたプリアンブル情報の受信である。
【０２０５】
あるいは、送出装置１３は、ターゲット・セルを制御する基地局に、ソース・セルを制御する基地局によって供給される、ＲＬＦが生じるか否かを判定するよう構成されたタイマ、タイマの同期外れ表示を可能にするか否かを判定するよう構成された回数、タイマの同期化表示をディセーブルするか否かを判定するよう構成された回数、無線リンク制御層における最大再送試行数、及び最大プリアンブル再送試行数のパラメータの１つ又は複数を送出するよう更に構成される。
【０２０６】
本実施例による端末は、図７乃至図１０に示す方法の実施例における端末によって処理される内容を実現し得る。更なる詳細はここでは記載しないものとする。
【０２０７】
本実施例の実施例によれば、接続障害が端末上で生じると、端末はＲＲＣ接続を再確立し、接続障害が生じる前に端末によって記録されたソース・セルのイベント情報及びソース・セルのセル識別情報を、ＲＲＣ接続が再確立されるセルを制御する基地局に送出するか、又は、ソース・セルとは別の周波数又は通信システムにおける近傍セルのイベント情報及び近傍セルのセル識別情報を、ＲＲＣ接続が再確立されるセルを制御する基地局に送出するか、又は、近傍セルのイベント情報及び近傍セルのセル識別情報、ソース・セルのイベント情報、並びにソース・セルのセル識別情報を、ＲＲＣ接続が再確立されるセルを制御する基地局に送出し、よって、ＲＲＣ接続が再確立されるセルを制御する基地局は、端末によって通知された上述の情報をソース基地局に転送し、次いで、ソース基地局は、ソース・セルと別のシステム又は周波数における近傍セルが受けるイベント及び／又は、ソース・セルが受けるイベントに応じてモビリティ・パラメータを調節し、それにより、端末ハンドオーバ効率、及びモビリティ・パラメータ調節の精度を向上させ得る。
【０２０８】
図１２は、本発明の実施例による基地局の概略構造図である。図１２に示すように、基地局８０は受信装置２１及び転送装置２２を含む。
【０２０９】
受信装置２１は、端末によって通知された情報を、接続障害が生じ、端末がＲＲＣ接続を再確立した後に受信するよう構成される。転送装置２２は、端末によって通知され、受信装置によって受信された情報を、ソース・セルを制御する基地局に転送するよう構成される。端末によって通知される情報は、接続障害が生じる前に端末によって記録されたソース・セルのイベント情報及びソース・セルのセル識別情報を含み、又は、接続障害が生じる前に端末によって記録されたソース・セルの近傍セルのイベント情報及び近傍セルのセル識別情報を含み、又は、接続障害が生じる前に端末によって記録されたソース・セルの近傍セルのイベント情報及び近傍セルのセル識別情報、接続障害が生じる前に端末によって記録されたソース・セルのイベント情報、及びソース・セルのセル識別情報を含み、近傍セル及びソース・セルは周波数間セル又はシステム間セルである。
【０２１０】
あるいは、受信装置２１によって獲得されるソース・セルのイベント情報は、初期ステータス情報、信号品質閾値の充足、又はＴＴＴタイムアウトを含む。
【０２１１】
あるいは、受信装置２１によって獲得される近傍セルのイベント情報は、初期ステータス情報、信号品質閾値の充足、ＴＴＴタイムアウト、及び端末による、ハンドオーバ・コマンドの受信以下の情報の１つを含む。
【０２１２】
端末上で生じる接続障害が、端末のソース・セルにおいて生じる無線リンク障害ＲＬＦであり、
（１）端末上でＲＬＦが生じる前に、ソース・セルの信号品質が、予め設定された信号品質閾値を充足しない場合、受信装置２１によって受信されるソース・セルのイベント情報は初期ステータス情報であり、又は、
（２）端末上でＲＬＦが生じる前に、ソース・セルの信号品質が、予め設定された信号品質閾値を充足する場合、受信装置２１によって受信される、ソース・セルのイベント情報は信号品質閾値の充足であり、又は、
（３）ＲＬＦが端末上で生じる前に、ソース・セルの信号品質が予め設定された信号品質閾値を充足する時間が、予め設定されたトリガ時間ＴＴＴ長を超える場合、受信装置２１によって受信される、ソース・セルのイベント情報はＴＴＴタイムアウトである。
【０２１３】
端末上で生じる接続障害が、端末のソース・セルにおいて生じる無線リンク障害ＲＬＦであり、
（１）端末上でＲＬＦが生じる前に、近傍セルの信号品質が、予め設定された信号品質閾値を充足しない場合、受信装置２１によって受信される近傍セルのイベント情報は初期ステータス情報であり、又は、
（２）端末上でＲＬＦが生じる前に、近傍セルの信号品質が、予め設定された信号品質閾値を充足する場合、受信装置２１によって受信される、近傍セルのイベント情報は信号品質閾値の充足であり、又は、
（３）端末上でＲＬＦが生じる前に、近傍セルの信号品質が予め設定された信号品質閾値を充足する時間が、予め設定されたトリガ時間ＴＴＴ長を超える場合、受信装置２１によって受信される、近傍セルのイベント情報はＴＴＴタイムアウトである。
【０２１４】
端末上で生じる接続障害が、端末上で生じるハンドオーバ障害ＨＯＦである場合、
（１）端末上でＨＯＦが生じる際に、ソース・セルを制御する基地局によって送出されたハンドオーバ・コマンドを端末が受信した場合、受信装置２１によって受信される、近傍セルのイベント情報が、端末によるハンドオーバ・コマンドの受信であり、
（２）端末上でＨＯＦが生じる際に、ハンドオーバ・ターゲット・セルを制御する基地局にプリアンブル・メッセージを端末が送出した場合、受信装置２１によって受信される近傍セルのイベント情報が、端末によるプリアンブルの送出であり、又は、
（３）端末上でＨＯＦが生じる際に、ハンドオーバ・ターゲット・セルを制御する基地局によって返されるプリアンブル応答メッセージを端末が受信した場合、受信装置２１によって受信される近傍セルのイベント情報が、端末によるプリアンブル応答の獲得であり、又は、
（４）端末上でＨＯＦが生じる際に、ハンドオーバ・ターゲット・セルを制御する基地局に第１の上りリンク・スケジューリング・メッセージを端末が送出した場合、受信装置２１によって受信される近傍セルのイベント情報が、端末によるスケジューリング・メッセージの送出であり、又は、
（５）端末上でＨＯＦが生じる際に、どのようにして衝突を解決するかを指示し、ハンドオーバ・ターゲット・セルを制御する基地局によって返される情報を端末が受信した場合、受信装置１２によって受信される近傍セルのイベント情報が、どのようにして衝突を解決するかを指示する情報の、端末による受信であり、又は、
（６）端末上でＨＯＦが生じる際に、ハンドオーバ・ターゲット・セルを制御する基地局によって供給される構成されたプリアンブル情報を端末が受信した場合、受信装置２１によって受信される、近傍セルのイベント情報が、端末による、構成されたプリアンブル情報の受信である。
【０２１５】
本発明の本実施例による基地局は、端末のソース基地局であり、図８に示す実施例におけるセル・モビリティ・パラメータを調節する方法に対応するのは、方法の実施例を実行する装置である。その具体的な実行処理については、方法の実施例を参照し得、ここでは、更なる詳細は記載しないものとする。
【０２１６】
本実施例において提供される技術的解決策によれば、ＲＲＣ接続が再確立されるセルを制御する基地局は、端末によって通知される、接続障害が生じる前に端末によって記録されたソース・セルのイベント情報及びソース・セルのセル識別情報、又は、近傍セルのイベント情報及びソース・セルとは別の周波数又は通信システムにおける近傍セルのセル識別情報、又は近傍セルのイベント情報及び近傍セルのセル識別情報、及びソース・セルのイベント情報及びソース・セルのセル識別情報の情報を受信する。ＲＲＣ接続が再確立されるセルを制御する基地局は、ソース・セルを制御する基地局に、端末によって通知される上述の情報を転送し得る。次いで、ソース・セルを制御する基地局はソース・セルが受けるイベントに応じてソース・セルのモビリティ・パラメータを調節し得、更に、ソース・セルと別の周波数又はシステムにおける近傍セルが受けるイベント及びソース・セルが受けるイベントに応じて近傍セルのモビリティ・パラメータを調節し、それにより、端末ハンドオーバ効率、及びモビリティ・パラメータ調節の精度を向上させ得る。
【図１】
0005869117.tif 000004
【図２】
0005869117.tif 000005
【図３】
0005869117.tif 000006
【図４】
0005869117.tif 000007
【図５】
0005869117.tif 000008
【図６】
0005869117.tif 000009
【図７】
0005869117.tif 000010
【図８】
0005869117.tif 000011
【図９】
0005869117.tif 000012
【図１０】
0005869117.tif 000013
【図１１】
0005869117.tif 000014
【図１２】
0005869117.tif 000015